(57)【要約】【課題】遊技機に接続された遊技媒体貸出装置において様々な情報を表示し、遊技者に多様な情報を提供できるようにする。【解決手段】遊技球を使用して遊技を実行するパチンコ機５に接続され、パチンコ機５に対して遊技球の貸出を行うＣＲユニット６は、パチンコ機５側に設けられたタッチ液晶モジュール２７を備え、タッチ液晶モジュール２７の操作により要求された情報を、パチンコ機５と同じ遊技店舗２に設置された会員・景品管理サーバー３５Ｄまたは遊技台計数管理装置３５Ａから取得し、取得した情報をタッチ液晶モジュール２７に表示する。【選択図】図１
2012029932.tif 000002
【特許請求の範囲】
【請求項１】
遊技媒体を使用して遊技を実行する遊技機に接続され、前記遊技機に対して遊技媒体の貸出を行う遊技媒体貸出装置であって、
前記遊技機側に設けられた表示装置と、
前記表示装置に表示する情報を要求するための操作を行う操作部と、
前記操作部の操作により要求された情報を、前記遊技機と同じ遊技場に設置された外部装置から取得する表示情報取得手段と、
前記表示情報取得手段により取得した情報を前記表示装置に表示させる表示制御手段と、
を備えることを特徴とする遊技媒体貸出装置。
【請求項２】
遊技媒体を使用して遊技を実行する遊技機に接続され、前記遊技機に対して遊技媒体の貸出を行う遊技媒体貸出装置と、前記遊技機と同じ遊技場に設置され、前記遊技媒体貸出装置に通信可能に接続された管理装置とを備えた遊技システムであって、
前記遊技媒体貸出装置は、
前記遊技機側に設けられた表示装置と、
前記表示装置に表示する情報を要求するための操作を行う操作部と、
前記操作部の操作により要求された情報を前記管理装置から取得する表示情報取得手段と、
前記表示情報取得手段により取得した情報を前記表示装置に表示させる表示制御手段と、を備えること、
を特徴とする遊技システム。
【請求項３】
前記管理装置は、予め登録された遊技者毎に、各遊技者の属性に係る情報を記憶した遊技者情報管理装置であり、
前記遊技媒体貸出装置は、前記遊技機を使用する遊技者を特定する遊技者特定手段を備え、
前記表示情報取得手段により、前記遊技者特定手段によって特定した遊技者に係る情報を前記遊技者情報管理装置から取得し、前記表示制御手段により、前記表示情報取得手段によって取得した情報に基づいて、当該遊技者向けの情報を前記表示装置に表示させることを特徴とする請求項２記載の遊技システム。
【請求項４】
前記遊技機は、遊技媒体を使用して遊技を実行して当落抽選を行い、抽選結果に応じて賞遊技媒体が獲得されるよう構成され、
前記管理装置は、前記遊技媒体貸出装置から前記遊技機の遊技結果に係る遊技情報が送信された場合に、この遊技情報を受信して遊技機毎に集計する遊技機管理装置として構成され、
前記遊技媒体貸出装置は、前記遊技機における遊技で使用された遊技媒体の数或いは獲得された賞遊技媒体数の少なくともいずれかを含む遊技情報を前記遊技機管理装置に送信する遊技結果送信手段を備え、
前記表示情報取得手段により、前記操作部の操作によって要求された遊技機の遊技情報を前記遊技機管理装置から取得し、前記表示制御手段により、前記表示情報取得手段によって取得した遊技情報に基づいて遊技結果を前記表示装置に表示させることを特徴とする請求項２記載の遊技システム。
【発明の詳細な説明】
【技術分野】
【０００１】
本発明は、遊技機に接続された遊技媒体貸出装置、及び、この遊技媒体貸出装置を備えた遊技システムに関する。
【背景技術】
【０００２】
従来、所定の抽選契機が成立するごとに当落抽選を行い、当選により遊技者が遊技媒体を増やせるようにした遊技機が知られている。この種の遊技機は一般的に、遊技媒体を貸し出す遊技媒体貸出装置に接続される。この遊技媒体貸出装置において、従来、表示画面を備え、この表示画面に操作説明を表示するものがあった（例えば、特許文献１参照）。特許文献１に記載された遊技媒体貸出装置は、この装置で遊技媒体を貸し出す際の操作方法の案内表示を行う。また、この遊技媒体貸出装置は、指紋認証により遊技者を特定し、この認証に成功した場合は画面に二次元コードを表示し、この二次元コードを遊技者が携帯電話機に読み込ませることによって、遊技情報を得られるようにしている。
【先行技術文献】
【特許文献】
【０００３】
【特許文献１】特開２００７−１０５４３３号公報
【発明の概要】
【発明が解決しようとする課題】
【０００４】
上記従来の遊技媒体貸出装置が表示する案内表示は、この遊技媒体貸出装置自体の操作方法を遊技者に伝えたり、遊技情報を提供したりするものであって遊技者に提供する手法が求められていた。
本発明は、上述した事情に鑑みてなされたものであり、遊技機に接続された遊技媒体貸出装置において様々な情報を表示し、遊技者に多様な情報を提供できるようにすることを目的とする。
【課題を解決するための手段】
【０００５】
上記目的を達成するために、本発明は、遊技媒体を使用して遊技を実行する遊技機に接続され、前記遊技機に対して遊技媒体の貸出を行う遊技媒体貸出装置であって、前記遊技機側に設けられた表示装置と、前記表示装置に表示する情報を要求するための操作を行う操作部と、前記操作部の操作により要求された情報を、前記遊技機と同じ遊技場に設置された外部装置から取得する表示情報取得手段と、前記表示情報取得手段により取得した情報を前記表示装置に表示させる表示制御手段と、を備えることを特徴とする。
本発明によれば、遊技機に接続された遊技媒体貸出装置が、遊技者によって要求された情報を遊技機と同じ遊技場に設置された管理装置から取得し、取得した情報を表示装置に表示するので、同じ遊技場内の管理装置が管理する様々な情報を表示することができる。この構成によれば、同じ遊技場に設置された装置から情報を取得して表示することで、遊技媒体貸出装置が記憶する情報に比べて格段に多くの情報を表示可能となり、かつ、同じ遊技場に設置された管理装置から情報を提供することで、管理装置と遊技媒体貸出装置との間のセキュリティを確保できる。
【０００６】
また、上記目的を達成するために、本発明は、遊技媒体を使用して遊技を実行する遊技機に接続され、前記遊技機に対して遊技媒体の貸出を行う遊技媒体貸出装置と、前記遊技機と同じ遊技場に設置され、前記遊技媒体貸出装置に通信可能に接続された管理装置とを備えた遊技システムであって、前記遊技媒体貸出装置は、前記遊技機側に設けられた表示装置と、前記表示装置に表示する情報を要求するための操作を行う操作部と、前記操作部の操作により要求された情報を前記管理装置から取得する表示情報取得手段と、前記表示情報取得手段により取得した情報を前記表示装置に表示させる表示制御手段と、を備えること、を特徴とする。
本発明によれば、遊技機に接続された遊技媒体貸出装置が、遊技者によって要求された情報を遊技機と同じ遊技場に設置された管理装置から取得し、取得した情報を表示装置に表示するので、同じ遊技場内の管理装置が管理する様々な情報を表示することができる。この構成によれば、同じ遊技場に設置された装置から情報を取得して表示することで、遊技媒体貸出装置が記憶する情報に比べて格段に多くの情報を表示可能となり、かつ、同じ遊技場に設置された管理装置から情報を提供することで、管理装置と遊技媒体貸出装置との間のセキュリティを確保できる。
【０００７】
また、本発明は、上記遊技システムにおいて、前記管理装置は、予め登録された遊技者毎に、各遊技者の属性に係る情報を記憶した遊技者情報管理装置であり、前記遊技媒体貸出装置は、前記遊技機を使用する遊技者を特定する遊技者特定手段を備え、前記表示情報取得手段により、前記遊技者特定手段によって特定した遊技者に係る情報を前記遊技者情報管理装置から取得し、前記表示制御手段により、前記表示情報取得手段によって取得した情報に基づいて、当該遊技者向けの情報を前記表示装置に表示させることを特徴とする。
本発明によれば、遊技機に接続された遊技媒体貸出装置が遊技機を使用する遊技者を特定し、管理装置が遊技者毎に記憶している情報に基づいて、その遊技者に係る情報に基づいてその遊技者向けの情報を表示装置に表示するので、各々の遊技者に個別に様々な情報を表示して、効率よく情報を提供できる。
【０００８】
上記構成において、前記遊技媒体貸出装置は、遊技媒体の貸出の対価として使用可能な価値に対応付けられた価値媒体を投入可能に構成され、投入された前記価値媒体に対応付けられた価値を対価として前記遊技機に遊技媒体の貸出を行い、各々の前記価値媒体は固有の識別情報を有し、前記管理装置は、登録された各遊技者が使用する前記価値媒体の識別情報を記憶し、前記遊技媒体貸出装置が備える遊技者特定手段は、前記価値媒体が投入された場合に、投入された前記価値媒体の識別情報と前記管理装置が記憶する識別情報とに基づいて、前記遊技機を使用する遊技者を特定する構成としてもよい。
この場合、遊技媒体を貸し出すための価値媒体が遊技媒体貸出装置に投入されると、投入された価値媒体から遊技者を特定し、その遊技者向けの情報を表示するので、価値媒体を使用して遊技を開始する場合に自動的に遊技者の情報を取得し、表示に反映させることができる。
【０００９】
また、本発明は、上記遊技システムにおいて、前記遊技機は、遊技媒体を使用して遊技を実行して当落抽選を行い、抽選結果に応じて賞遊技媒体が獲得されるよう構成され、前記管理装置は、前記遊技媒体貸出装置から前記遊技機の遊技結果に係る遊技情報が送信された場合に、この遊技情報を受信して遊技機毎に集計する遊技機管理装置として構成され、前記遊技媒体貸出装置は、前記遊技機における遊技で使用された遊技媒体の数或いは獲得された賞遊技媒体数の少なくともいずれかを含む遊技情報を前記遊技機管理装置に送信する遊技結果送信手段を備え、前記表示情報取得手段により、前記操作部の操作によって要求された遊技機の遊技情報を前記遊技機管理装置から取得し、前記表示制御手段により、前記表示情報取得手段によって取得した遊技情報に基づいて遊技結果を前記表示装置に表示させることを特徴とする。
本発明によれば、遊技機管理装置によって遊技機毎に遊技情報が集計され、この集計された遊技情報が、遊技媒体貸出装置の操作に応じて遊技媒体貸出装置によって取得され、遊技機側に設けられた表示装置に表示されるので、遊技者に対して遊技情報を効率よく、かつ詳細に提供できる。
【００１０】
上記構成において、前記遊技機は、前記遊技媒体の投入を条件に遊技を実行し、遊技結果に応じて賞遊技媒体を獲得可能に構成され、獲得された前記賞遊技媒体を装置外に物理的に排出することなく遊技を実行する封入式の遊技機であり、前記表示装置は前記遊技機の前面に配置されたことを特徴とする構成としてもよい。
この場合、遊技機において遊技球を物理的に投入及び排出するための上皿や下皿が不要なため、大型の表示装置を遊技機の正面に配置することができる。この表示装置に、各遊技者に固有の情報に基づいて各遊技者向けの情報を表示することにより、遊技者が視認しやすい位置に遊技者に適した情報を表示でき、興趣性とともに遊技者の利便性の向上を図ることができる。
【発明の効果】
【００１１】
本発明によれば、遊技機側に設けた表示装置によって、遊技機を使用する遊技者に対して多様な情報を提供できる。
【図面の簡単な説明】
【００１２】
【図１】本発明の実施形態に係る遊技サービスシステムの全体構成を示す図である。
【図２】遊技システムの機能的構成を示す図である。
【図３】会員・景品管理サーバーが記憶する情報を模式的に示す図である。
【図４】タッチ液晶モジュールに表示される画面の例を示す図である。
【図５】タッチ液晶モジュールに表示される画面の例を示す図である。
【発明を実施するための形態】
【００１３】
以下、図面を参照して本発明の実施形態について説明する。
図１は、本実施形態に係る遊技サービスシステム１の構成を示す図である。
遊技サービスシステム１は、遊技店舗２に導入されている遊技管理システム３と、サービス提供サーバー群４とを備えている。遊技管理システム３は、遊技機の一例たるパチンコ機５から遊技情報を取得して管理するシステムであり、複数台のパチンコ機５及びＣＲ（Card Reader）ユニット６等を備えて構成されている。サービス提供サーバー群４は、遊技管理システム３に対して各種サービスを提供するサーバー群である。
【００１４】
サービス提供サーバー群４には、大別すると、ベンダー系に属するベンダー系サーバー群４Ａと、データセンター系に属するデータセンター系サーバー群４Ｂとが含まれており、それぞれがインターネット等の広域網１１を介して遊技管理システム３に通信可能に接続されている。
ベンダー系サーバー群４Ａには、遊技機メーカーサーバー１２Ａと、販社・中古機業者サーバー１２Ｂと、カード会社サーバー１２Ｃと、コンテンツプロバイダーサーバー１２Ｄとが含まれている。
遊技機メーカーサーバー１２Ａは、パチンコ機５を製造する遊技機メーカーが所有するサーバーであり、販社・中古機業者サーバー１２Ｂは、パチンコ機５を販売する販売会社や中古のパチンコ機５を販売する中古機業者が所有するサーバーである。これら遊技機メーカーサーバー１２Ａ、及び販社・中古機業者サーバー１２Ｂからは、製造、或いは販売したパチンコ機５の識別情報（例えば製造番号）と、認証用情報としての遊技機ＩＤ（例えば、遊技機メイン基板４０のＣＰＵ固有ＩＤ６１（図２））が遊技機ＩＤ管理センターサーバー１３Ｄに送信され、当該遊技機ＩＤ管理センターサーバー１３Ｄで管理される。
カード会社サーバー１２Ｃは、遊技球の貸し出しに供する後述するプリペイド媒体１４を製造販売するカード会社によって利用され、プリペイド媒体の製造番号やシリアル番号の照会サービスを提供するサーバーである。遊技店舗側は、かかる照会サービスを利用することで、偽造等された不正なプリペイド媒体を発見できる。
コンテンツプロバイダーサーバー１２Ｄは、コンテンツを配信するプロバイダーによって利用され、各種コンテンツを配信するサーバーである。コンテンツの例としては、例えば遊技機メーカーによって登録されたパチンコ機５のＰＲ（Public Relations）コンテンツや、遊技性能、遊技方法等の説明コンテンツなどが挙げられる。かかるコンテンツは、遊技管理システム３の例えば各ＣＲユニット６に配信され、後述のタッチ液晶モジュール２７などに表示されて遊技者に提供される。
【００１５】
データセンター系サーバー群４Ｂには、コンテンツ配信データセンターサーバー１３Ａと、プリペイド管理データセンターサーバー１３Ｂと、第３者貯玉データ管理センターサーバー１３Ｃと、遊技機ＩＤ管理センターサーバー１３Ｄと、不正情報監視センターサーバー１３Ｅとが含まれている。
コンテンツ配信データセンターサーバー１３Ａは、ＴＶや映画などの動画や音楽等のエンターテイメントコンテンツを配信するサーバーであり、かかるコンテンツは、遊技管理システム３の各ＣＲユニット６に配信されタッチ液晶モジュール２７などに表示される。
プリペイド管理データセンターサーバー１３Ｂは、遊技店舗２で利用されている各プリペイド媒体１４の残価値の記録・照会サービスを提供するサーバーである。また第３者貯玉データ管理センターサーバー１３Ｃは、遊技店舗２の会員となった遊技者ごとに遊技球の貯玉数の記録・照会サービスを提供するサーバーである。遊技店舗側は、これらプリペイド管理データセンターサーバー１３Ｂ、及び第３者貯玉データ管理センターサーバー１３Ｃが記録しているデータと遊技管理システム３で管理しているデータとの間の整合性を検証可能になっている。
【００１６】
遊技機ＩＤ管理センターサーバー１３Ｄは、パチンコ機５の識別情報と、上記遊技機ＩＤと、当該パチンコ機５の出荷先の遊技店舗２とを対応付けたデータを管理し、また照会可能にするサーバーである。かかるデータは、遊技機メーカー、販社、或いは中古機業者がパチンコ機５を出荷するごとに遊技機メーカーサーバー１２Ａ、及び販社・中古機業者サーバー１２Ｂから登録され、また遊技店舗２がパチンコ機５を撤去するごとに、対応するパチンコ機５のデータが抹消される。また、データ登録者以外にデータを参照できる者を出荷先の遊技店舗２に限定するために、出荷先の遊技店舗２には、当該出荷先に対応付けられた遊技機ＩＤを参照するためのデータ参照用のＩＤ及びパスワードが付与されている。遊技店舗２側は、これらを用いて遊技機ＩＤ管理センターサーバー１３Ｄにアクセスすることで、当該遊技店舗２のみが遊技機ＩＤを取得可能になる。なお、遊技機ＩＤ管理センターサーバー１３Ｄの管理データには、他に任意の情報を含めることができ、例えば遊技機メーカー名やパチンコ機５の機種名の情報等を含めても良い。
不正情報監視センターサーバー１３Ｅは、何らかの理由で不正と認められたパチンコ機５の識別情報を照会可能に管理するサーバーであり、遊技店舗が、所有のパチンコ機５が不正なものでないかを不正情報監視センターサーバー１３Ｅに問い合わせて確認できる。
【００１７】
次いで、遊技管理システム３を構成する各装置について詳述する。
遊技管理システム３は、複数台のパチンコ機５及びＣＲ（Card Reader）ユニット６と、精算機７と、管理コンピュータ群８とを備え、ＣＲユニット６、精算機７及び管理コンピュータ群８のそれぞれが店内ＬＡＮ９、或いは専用通信線１０により通信可能に接続されている。
パチンコ機５は、遊技球を遊技媒体に使用する遊技機である。このパチンコ機５は、遊技者が、価値媒体たるプリペイド媒体１４を購入、或いは、プリペイド媒体１４に現金をチャージし、該プリペイド媒体１４の残価値を代償として遊技球を借りて遊技する、いわゆるＣＲ機と呼ばれる遊技機である。そして、かかるパチンコ機５と、当該パチンコ機５と通信可能に接続され、プリペイド媒体１４を読み取る上記ＣＲユニット６と、を備えて遊技システム１５が構成されている。この遊技システム１５では、パチンコ機５は、ＣＲユニット６と電気的に接続されている（通電状態である）事を条件に遊技球を発射可能に構成されている。
【００１８】
パチンコ機５は、遊技盤（ゲージ盤）１６の前面に前面ガラス１７を設け、該前面ガラス１７を通じて遊技盤１６の遊技領域を視認可能に構成したパチンコ機本体１８を備えている。遊技盤１６の遊技領域には、遊技球通過時に賞球が得られる入賞口として始動入賞口１９や他の入賞口２０、常閉状態の大入賞口（いわゆるアタッカー）２１と、これら始動入賞口１９、他の入賞口２０及び大入賞口２１のいずれにも入賞しなかった遊技球（いわゆるアウト玉）を遊技領域から遊技盤１６の裏側に導いて回収する回収口２２と、多数の障害釘２３と、始動入賞口１９への遊技球の入賞（通過）に伴い図柄を変動表示する図柄表示ユニットとしての遊技機液晶表示器２４とが設けられている。始動入賞口１９、大入賞口２１、及び他の入賞口２０に入賞したときの賞球数はそれぞれ異なり、本実施形態では、始動入賞口１９が３個、大入賞口２１が１５個、及び他の入賞口２０が１０個となっている。
【００１９】
パチンコ機本体１８の正面には、遊技球の貸出操作用の貸出スイッチ２５Ａ、プリペイド媒体１４の返却（遊技終了の指示）操作用の返却スイッチ２５Ｂ、遊技機液晶表示器２４での表示演出時などに操作入力するプッシュボタン２５Ｃ等の各種操作ボタンが設けられている。
またパチンコ機本体１８の右下には、遊技球を遊技盤１６の遊技領域に１発ずつ所定の時間間隔で発射する遊技球発射ハンドル２６が設けられている。
遊技球発射ハンドル２６は時計回りに回動可能であり、パチンコ機５は、遊技者が操作しない状態における停止位置からの遊技球発射ハンドル２６の回動量（操作量）を後述する発射制御基板４３により検出し、この発射制御基板４３の制御により遊技球を発射する発射機構（図示略）を備えている。この発射機構が遊技球を発射する力は可変であり、発射制御基板４３の制御により、検出された遊技球発射ハンドル２６の操作量が大きいほど強い弾発力で、遊技球を遊技領域に発射させる。
遊技球発射ハンドル２６の操作に伴って発射された遊技球が始動入賞口１９を通過したことを契機にパチンコ機５は特賞の当落抽選を行うとともに、遊技機液晶表示器２４に図柄を後述する表示演出を伴って変動表示し、停止図柄により当落抽選結果を遊技者に通知する。また当選時には、パチンコ機５は、大入賞口２１を開放して遊技球が入賞し易い状態とすることで遊技者に持玉を増やす機会を与える。
【００２０】
ここで、このパチンコ機５は、所定個数（例えば２５個）の遊技球をパチンコ機本体１８に封入し、これらの遊技球をパチンコ機本体１８の中で循環利用する封入式の遊技機として構成されている。具体的には、パチンコ機５は、遊技盤１６に発射され、始動入賞口１９や大入賞口２１、他の入賞口２０に入賞した遊技球（いわゆるセーフ玉）及び回収口２２に回収された遊技球（いわゆるアウト玉）をそれぞれ遊技盤１６の裏側に回収し、発射位置に還流する循環流路（図示せず）を有し、当該循環流路内に所定個数の遊技球を封入して、封入した遊技球を繰り返して遊技領域に発射することで遊技を行うように構成されている。封入式のパチンコ機５においては、パチンコ機本体１８の外部から遊技球を補充する必要がないため、パチンコ機本体１８の正面に、遊技球を一時的に貯留するいわゆる上皿や、上皿からパチンコ機本体１８の内部に遊技球を捕球する捕球口、上皿に賞球を排出する排出口等は設けられておらず、かかる上皿等が従来配設された箇所（すなわち、前面ガラス１７の下）には、タッチ液晶モジュール２７が設けられている。
タッチ液晶モジュール２７は、パチンコ機本体１８の台枠に組み込まれたタッチ操作可能な表示ユニットであり、ＣＲユニット６の操作部及び表示装置として機能し、かかる構成については、後に詳述する。
【００２１】
ＣＲユニット６は、各パチンコ機５の片側に配置され互いに通信可能に接続されており、プリペイド媒体１４の残価値がゼロでない事を条件に、貸出スイッチ２５Ａの操作を示す貸出操作信号をパチンコ機５から受信した場合に遊技球の貸出指示信号を出力する。プリペイド媒体１４の残価値は管理コンピュータ群８（より正確には後述するプリペイド管理サーバー３５Ｂ）に管理されており、ＣＲユニット６は、玉貸完了時に、管理コンピュータ群８との間で貸出玉数に応じてプリペイド媒体１４の残価値を減算する処理を行う。
なお、ＣＲユニット６は、玉貸時における残価値の使用単位（例えば１００円単位、５００円単位など）や、１個の遊技球あたりの貸出単価（例えば４円／玉、１円／玉など）を予め設定可能に構成されており、遊技場側が営業形態に応じて適宜に設定・変更可能に成されている。
【００２２】
プリペイド媒体１４にはＩＣを内蔵した硬貨形状のＩＣコイン１４Ａ及びカード型の会員カード１４Ｂが用いられている。会員カード１４Ｂは、遊技店に会員登録している顧客に貸与される記録媒体であり、ＩＣコイン１４Ａは、それ以外の顧客（いわゆる、ビジター）に貸与される記録媒体である。プリペイド媒体１４には、カード会社によって付された、一意に特定するための識別情報が付与されており、この識別情報と残価値とが対応付けられて管理コンピュータ群８により管理されている。
【００２３】
このＣＲユニット６は、プリペイド媒体１４の発行機能を有し、紙幣（例えば、「一万円」、「五千円」や「二千円」などの紙幣）を挿入する紙幣挿入口２８、ＩＣコイン１４Ａを投入するコイン投入口２９、ＩＣコイン１４Ａを排出するコイン排出口３０、会員カード１４Ｂを挿入する会員カード挿入口３１が設けられている。
ＣＲユニット６は、紙幣挿入口２８に紙幣が挿入された場合、管理コンピュータ群８と通信して紙幣の額面に応じた価値をプリペイド媒体１４に付与する処理を行う。具体的には、ＣＲユニット６は、プリペイド媒体１４として会員カード１４Ｂが挿入されている場合には、会員カード１４Ｂの残価値を管理する管理コンピュータ群８に対し、会員カード１４Ｂの識別情報に投入金額分の価値を付与する旨を通知する。これにより、会員カード１４Ｂへのプリペイド残高のチャージが行われる。また、会員カード１４Ｂが挿入されていない場合には、ＣＲユニット６は、新規にＩＣコイン１４Ａを発行するとともに、ＩＣコイン１４Ａの残価値を管理する管理コンピュータ群８に対し、このＩＣコイン１４Ａの識別情報に投入金額分の価値を付与する旨を通知する。これにより、会員カード１４Ｂを持たない遊技者に、プリペイド媒体１４としてのＩＣコイン１４Ａが新規に発行される。
【００２４】
ＣＲユニット６は、プリペイド媒体１４が投入されている間、その残価値をタッチ液晶モジュール２７に表示し、貸出スイッチ２５Ａの操作により玉貸が行われるごとに、残価値を減算更新し、また更新後の残価値をタッチ液晶モジュール２７に表示する。また、ＣＲユニット６は、返却スイッチ２５Ｂが操作されたときには、プリペイド媒体１４を排出するとともに、プリペイド媒体１４の識別情報と残価値とを管理コンピュータ群８に送信し、これにより、ＣＲユニット６から排出されたときのプリペイド媒体１４の最終的な残価値が管理コンピュータ群８に記録される。
精算機７は、プリペイド媒体１４の残価値を精算する装置であり、この精算機７には、ＩＣコイン１４Ａのコイン投入口３２及び会員カード１４Ｂのカード挿入口３３が設けられている。精算機７は、プリペイド媒体１４が投入された場合、残価値を上記管理コンピュータ群８に問い合わせ、残価値に応じた金額を払い出す。精算機７は、金額払出完了後に、その旨を管理コンピュータ群８に通知し、管理コンピュータ群８が、そのプリペイド媒体１４の残価値として記録している値をクリアすることで精算が完了する。
【００２５】
この遊技管理システム３においては、パチンコ機５ごとにデータ表示器３４を備えている。データ表示器３４は、対応するパチンコ機５の過去営業日の大当たり情報や、当日の大当たり回数、前回大当たりからの図柄変動回数（スタート回数）といった遊技情報を表示する表示パネル３４Ａを有する。またデータ表示器３４には、表示パネル３４Ａの他にも、遊技場のホールスタッフを呼び出す呼出ボタンや、パチンコ機５の大当たり状態や確率変動遊技状態、時短遊技状態等の所定の遊技状態を報知するランプ等が設けられている。各データ表示器３４は、対応するパチンコ機５と通信するＣＲユニット６に接続され、パチンコ機５が出力する遊技情報をＣＲユニット６から取得して表示パネル３４Ａに表示する。
【００２６】
管理コンピュータ群８は、遊技台計数管理装置３５Ａと、プリペイド管理サーバー３５Ｂと、持玉管理サーバー３５Ｃと、会員・景品管理サーバー３５Ｄと、コンテンツサーバー３５Ｅと、遊技機ＩＤ管理サーバー３５Ｆとを備えている。
遊技台計数管理装置３５Ａは、いわゆるホールコンピュータ（図示では「ホールコン」）と呼ばれる装置であり、各パチンコ機５での出球や大当たり回数、エラー状況、パチンコ機５のパチンコ機本体１８が備える扉の開放等の遊技機に係る遊技情報、並びに、各ＣＲユニット６への入金や再プレイ、プリペイド残価値の消費等に関する情報をＣＲユニット６から取得して中枢的に管理する。遊技台計数管理装置３５Ａは、かかる各種の情報を、パチンコ機５からではなくＣＲユニット６から取得する。すなわち、遊技台計数管理装置３５ＡとＣＲユニット６とはパラレル信号線１０Ａ、及び／或いはホールコンＩ／Ｆ装置３６を中継器に備えたシリアル信号線１０Ｂを介して接続されており、ＣＲユニット６のＣＰＵ７６Ａ（図２）がパチンコ機５から逐次情報を受信して遊技台計数管理装置３５Ａに出力する。
【００２７】
パチンコ機５は、後述する外部端子板５４（図２）を経由してＣＲユニット６に外部端子出力信号Ｓｏｕｔを出力し、この外部端子出力信号Ｓｏｕｔに基づいて、ＣＲユニット６は、パチンコ機５における大当たり状態の発生やスタートを検出できる。また、ＣＲユニット６は、外部端子出力信号Ｓｏｕｔに基づいて、パチンコ機５における発射球数、アウト玉数、払い出された賞球数、大当り回数、図柄停止回数等の情報を得られる。これらの情報は、ＣＲユニット６から遊技台計数管理装置３５Ａに送信され、遊技台計数管理装置３５Ａがパチンコ機５毎に集計する。
【００２８】
プリペイド管理サーバー３５Ｂは、プリペイド媒体１４としてのＩＣコイン１４Ａ及び会員カード１４Ｂの各識別情報と残価値を対応付けて記憶し、これらの残価値を管理するサーバーである。ＣＲユニット６は、プリペイド媒体１４が投入されたときには、当該プリペイド媒体１４の識別情報に対応する残価値をプリペイド管理サーバー３５Ｂに問い合わせ、応答により得られた残価値をタッチ液晶モジュール２７に度数表示する。
プリペイド媒体１４の残価値は、ＣＲユニット６でのチャージによって増加し、また玉貸によって減少し、プリペイド管理サーバー３５Ｂは、これらチャージ及び玉貸に応じて残価値を更新する。すなわち、ＣＲユニット６が残価値をプリペイド媒体１４にチャージした場合には、プリペイド管理サーバー３５Ｂは、チャージされた残価値を識別情報とともに取得して残価値を加算更新する。貸出スイッチ２５Ａの操作に応じてＣＲユニット６が玉貸を行った場合には、プリペイド管理サーバー３５Ｂは、かかる玉貸の代償価値をプリペイド媒体１４の識別情報とともに取得して残価値を減算更新する。
このプリペイド管理サーバー３５Ｂには、上述した精算機７が店内ＬＡＮ９を介して接続されており、精算機７にプリペイド媒体１４が投入されると、精算機７がプリペイド媒体１４の残価値をプリペイド管理サーバー３５Ｂに問い合わせて、残価値に応じた金額払い出し等の精算を行う。
【００２９】
持玉管理サーバー３５Ｃは、遊技者の持玉数を管理するサーバーである。具体的には、持玉管理サーバー３５Ｃは、遊技者の持玉数を、投入されているプリペイド媒体１４の識別情報とともに店内ＬＡＮ９を介してＣＲユニット６から取得して管理する。遊技者は、獲得当日に限り、持玉を遊技に使用でき、ＣＲユニット６は、プリペイド媒体１４が投入されたときには、当該プリペイド媒体１４の識別情報に対応する持玉数を持玉管理サーバー３５Ｃに問い合わせ、応答により得られた持玉数をタッチ液晶モジュール２７に表示する。このときＣＲユニット６は、持玉を使って遊技球の払い出しを受けるための持玉使用ボタン（図示せず）をタッチ液晶モジュール２７に表示し、当該持玉使用ボタンが操作された場合には、所定玉数の遊技球の払出指示信号をパチンコ機５に出力するとともに、持玉管理サーバー３５Ｃに対してプリペイド媒体１４の識別情報とともに使用持玉数を送信する。持玉管理サーバー３５Ｃは、使用持玉数を取得すると、対応するプリペイド媒体１４の持玉数を減算更新する。また、ＣＲユニット６は、プリペイド媒体１４の排出時には、持玉管理サーバー３５Ｃに対してプリペイド媒体１４の識別情報とともに最終的な持玉数を送信し、この持玉数が持玉管理サーバー３５Ｃに記録される。なお、持玉管理サーバー３５ＣとＣＲユニット６との間の通信障害に備え、遊技者の持玉数をプリペイド媒体１４にも記録する構成としても良い。
【００３０】
会員・景品管理サーバー３５Ｄは、顧客会員と景品交換の管理をするサーバーである。顧客会員の管理について詳述すると、顧客の氏名や年齢、性別、職業、携帯電話番号、会員番号、サービス利用のための暗証番号、会員カード１４Ｂの識別情報、顧客が遊技場に預けている再遊技可能な遊技媒体数（いわゆる貯玉数）、遊技履歴に係る情報が管理される。顧客会員には、氏名や年齢等を通知して会員登録を済ました顧客のみならず、会員登録をせずに遊技を行う顧客、いわゆるビジター会員も含まれる。すなわち、ビジター会員には当日限り有効の専用の会員カード１４Ｂが発行され、当該会員カード１４ＢをＣＲユニット６に挿入して遊技を行うこととなる。なお、ビジター会員に対し、会員カード１４Ｂに代えて、上述のＩＣコイン１４Ａを用いることができ、この場合には、ＣＲユニット６に会員カード１４Ｂを挿入せずともＩＣコイン１４Ａを投入することで遊技を行う。
ＣＲユニット６は、会員カード１４Ｂが挿入された場合、タッチ液晶モジュール２７に暗証番号入力画面を表示して入力を促し、入力された暗証番号及び会員カード１４Ｂの識別情報の正当性を会員・景品管理サーバー３５Ｄに問い合わせる。ただし、会員カード１４Ｂがビジター会員用である場合には、かかる問い合わせは省略しても良い。ＣＲユニット６は、これらの正当性が会員・景品管理サーバー３５Ｄによって認められた場合に限り、当該会員・景品管理サーバー３５Ｄから貯玉数を取得し、タッチ液晶モジュール２７に表示する。またＣＲユニット６は貯玉が使用されるごとに会員・景品管理サーバー３５Ｄに貯玉使用数を送信し、これにより会員・景品管理サーバー３５Ｄが当該顧客の貯玉数を減算更新する。
なお、以下の説明では、プリペイド媒体１４として遊技者が会員カード１４Ｂを使用して遊技を行うものとして説明する。
【００３１】
また、遊技管理システム３は、遊技球貸出装置６５が備えるタッチ液晶モジュール２７に、遊技者毎に異なる表示態様で情報を表示する機能を有する。この機能を実現するため、会員・景品管理サーバー３５Ｄは、顧客会員として登録されている遊技者（会員）に関する情報とともに、各会員に対応付けて情報の表示形態に係る情報を記憶している。
図３は、会員・景品管理サーバー３５Ｄが記憶する情報の構成例を模式的に示す図であり、（Ａ）は顧客会員マスタ情報３Ａを示し、（Ｂ）はマイページ設定情報３Ｂを示す。
図３（Ａ）に示す顧客会員マスタ情報３Ａは、上述したように会員・景品管理サーバー３５Ｄが記憶している顧客の会員番号、氏名、生年月日、性別、職業、携帯電話番号、サービス利用のための暗証番号、及び、この会員が使用する会員カード１４Ｂの識別情報としての会員カード番号等の情報を含み、会員・景品管理サーバー３５Ｄは顧客毎に顧客会員マスタ情報３Ａを記憶する。
この図３（Ａ）に示す構成では、顧客会員マスタ情報３Ａには顧客会員の基本情報、すなわち顧客会員自身の属性に関する様々な情報が含まれる。ここで、顧客会員マスタ情報３Ａに含まれる情報は図３（Ａ）の例に限らず、顧客会員が使用する会員カード１４Ｂの識別情報、顧客が遊技場に預けている再遊技可能な遊技媒体数（いわゆる貯玉数）、遊技履歴に係る情報等を含ませることも可能である。
しかしながら、会員カード１４Ｂの識別情報や遊技媒体数等の情報は、会員番号に対応付けられていれば、会員番号をキーとして遊技管理システム３を構成する各装置により検索・取得できるので、必ずしも顧客会員マスタ情報３Ａに含めなくてもよく、他のテーブルの形態で会員・景品管理サーバー３５Ｄまたは他の装置が記憶していてもよい。
【００３２】
また、会員・景品管理サーバー３５Ｄは、顧客会員マスタ情報３Ａとともに、各会員に対してタッチ液晶モジュール２７に表示する当該会員専用の画面（以下、マイページという）の表示態様を決める情報として、マイページ設定情報３Ｂを記憶している。図３（Ｂ）に示す例では、会員番号に対応付けて、マイページに氏名の代わりに表示されるニックネーム、表示に用いるフォント、マイページに表示されるアバター（後述）の形態の各情報が含まれる。マイページ設定情報３Ｂに含まれる情報は、例えば、遊技者が遊技球貸出装置６５のタッチ液晶モジュール２７における操作によって設定及び登録できる。
遊技球貸出装置６５は、会員カード１４Ｂが投入された場合に、会員・景品管理サーバー３５Ｄに問い合わせてこの会員カード１４Ｂを使用する遊技者を特定し、特定した遊技者に対応する顧客会員マスタ情報３Ａ及びマイページ設定情報３Ｂの情報を取得して、タッチ液晶モジュール２７にマイページを表示する。この動作については後述する。
【００３３】
また、遊技管理システム３においては、遊技者が持玉を景品や貯玉に交換可能になされており、会員・景品管理サーバー３５Ｄは、この景品交換の管理機能を有する。すなわち、遊技者が景品カウンター（図示せず）等で持玉を景品に交換した場合、当該景品カウンターに設置されたＰＯＳ端末を含むＰＯＳシステム３７から持玉を交換した旨が、プリペイド媒体１４の識別情報とともに持玉管理サーバー３５Ｃに入力され、持玉管理サーバー３５Ｃがプリペイド媒体１４の識別情報に対応する持玉数を減算更新することで交換が完了する。この際、ＰＯＳシステム３７では持玉の貸出単価を反映して景品交換が行われ、ＰＯＳシステム３７から持玉管理サーバー３５Ｃに対して貸出単価ごとに交換した持玉数が入力される。持玉管理サーバー３５Ｃは、貸出単価ごとに景品交換された持玉数を減算する。また、このとき、会員カード１４Ｂを利用して遊技を行った顧客会員が景品交換した場合に、当該顧客会員が交換した景品を会員・景品管理サーバー３５Ｄに記録して管理するようにしても良い。
【００３４】
顧客会員が持玉を貯玉に交換するときには、会員・景品管理サーバー３５Ｄに、貯玉数がプリペイド媒体１４の識別情報とともに送信され、顧客会員の会員カード１４Ｂに対応付けて管理されている貯玉数が加算更新され、また同様に第３者貯玉データ管理センターサーバー１３Ｃが管理する貯玉数のデータも更新される。ここで、プリペイド媒体１４の識別情報に対応付けて複数の貸出単価ごとに持玉数が管理されている場合には、持玉管理サーバー３５Ｃから会員・景品管理サーバー３５Ｄに対して貸出単価ごとの持玉数が送信され、会員・景品管理サーバー３５Ｄは、顧客会員の会員カード１４Ｂに対応付けて、貸出単価ごとの貯玉数を管理する。
なお、遊技場の営業日の終了時に、持玉がゼロでない会員カード１４Ｂが持玉管理サーバー３５Ｃに記録されている場合に、当該持玉管理サーバー３５Ｃが会員・景品管理サーバー３５Ｄに記録を転送し、当該会員・景品管理サーバー３５Ｄが管理する会員カード１４Ｂの貯玉に持玉を加算することで、自動で振り替えるようにしても良い。
【００３５】
さらに、遊技管理システム３においては、遊技者がＣＲユニット６を操作して持玉を景品またはサービスに交換するよう指示することができる。この操作に応じてＣＲユニット６から持玉管理サーバー３５Ｃに対し、商品またはサービスへの交換の指示が送信され、持玉管理サーバー３５Ｃは、この指示に応じて遊技者の持玉を減算し、景品カウンター（図示せず）等にいるホールスタッフに対して表示や音声により指示内容を出力する。この機能により、遊技者は、パチンコ機５の前から離席することなく景品交換を行って商品またはサービスの提供を受けることができる。ここで、商品またはサービスに交換する対価は持玉に限らず、貯玉としてＣＲユニット６及び会員・景品管理サーバー３５Ｄに記憶されている遊技球数を対価として減算する構成としてもよい。
【００３６】
コンテンツサーバー３５Ｅは、上記コンテンツプロバイダーサーバー１２Ｄ、及び上記コンテンツ配信データセンターサーバー１３Ａのそれぞれから各種コンテンツを取得し、各ＣＲユニット６に配信する。
遊技機ＩＤ管理サーバー３５Ｆは、所定のＩＤとパスワードを用いて遊技機ＩＤ管理センターサーバー１３Ｄにアクセスし、パチンコ機５の識別情報（製造番号等）、遊技機ＩＤ、及び出荷先情報を上記遊技機ＩＤ管理センターサーバー１３Ｄから取得して管理する。
【００３７】
次いで、遊技システム１５を構成するパチンコ機５及び遊技球貸出装置６５の構成について詳述する。
図２は、遊技システム１５の機能的構成を示す図である。
パチンコ機５は、図２に示すように、主基板に分類される遊技機メイン基板４０及び払出制御基板４１と、主基板に対する周辺基板である演出用サブ基板４２及び発射制御基板４３とを備えている。主基板は、当落抽選及び遊技球の獲得に影響を及ぼし、又は及ぼすおそれがある機能を有する回路を実装した基板である。
遊技機メイン基板４０は、入賞に伴う賞球の払出指示や特賞の当落を抽選する主制御ＣＰＵ４０Ａを備えた基板である。具体的には、パチンコ機５は、大入賞口２１、始動入賞口１９、及び他の入賞口２０のそれぞれごとに、大入賞口入賞検知センサ４４Ａ、始動入賞口入賞検知センサ４４Ｂ、及び他の入賞口入賞検知センサ４４Ｃを備え、入賞時には、対応する入賞口の入賞検知センサ４４Ａ、４４Ｂ、４４Ｃから検知信号が遊技機メイン基板４０に出力される。
【００３８】
遊技機メイン基板４０は、始動入賞口１９、他の入賞口２０及び大入賞口２１ごとに賞球数を対応付けて記憶する入賞口別賞球数記憶部４５を備え、上記入賞検知センサ４４Ａ、４４Ｂ、４４Ｃにて入賞口への入賞が検知されるごとに、当該入賞口に対応する賞球数を入賞口別賞球数記憶部４５から読み出し、当該賞球数の賞球払い出しを指示する賞球払出指示信号を払出制御基板４１に出力する。
また遊技盤１６には、始動入賞口１９、他の入賞口２０及び大入賞口２１のそれぞれごとに、入賞時に点灯して遊技者に通知する大入賞口入賞通知灯４６Ａ、始動入賞口入賞通知灯４６Ｂ、及び他の入賞口入賞通知灯４６Ｃが設けられており、遊技機メイン基板４０は、賞球払出指示信号の出力時に、遊技球が入賞した入賞口に対応する入賞通知灯４６Ａ、４６Ｂ、４６Ｃを１回点滅させる。これにより、遊技者が入賞口への入賞を入賞通知灯４６Ａ、４６Ｂ、４６Ｃの点滅で視覚的に把握できる。入賞通知灯４６Ａ、４６Ｂ、４６Ｃの点滅を把握することで、払出制御基板４１の誤動作等の理由により賞球が払い出されなかった場合（遊技機管理発射可能玉数表示灯５２の表示が更新されなかった場合）でも、遊技者は、これを速やかに把握できる。
【００３９】
なお、大入賞口入賞通知灯４６Ａ、始動入賞口入賞通知灯４６Ｂ、及び他の入賞口入賞通知灯４６Ｃごとに、点滅、或いは点灯のパターンを変えて、又は／及び発光色を異ならせて識別性を高めても良い。
【００４０】
また遊技機メイン基板４０は、始動入賞口１９への入賞の検知を契機として特賞の当落抽選を行い、当落抽選結果を図柄表示部（いわゆる、特別図柄表示器）４７に表示する。特賞当選時には、遊技機メイン基板４０は遊技状態を特別遊技状態（いわゆる大当たり遊技状態や確率変動状態、時間短縮遊技状態など）に移行させ、特別遊技状態の終了条件成立に伴って通常の遊技状態に移行する。大当たり遊技状態では大入賞口２１が開放され、多くの賞球数を獲得できる状態となる。大当たり遊技状態では、大入賞口２１は所定数の遊技球が入賞するか、所定時間が経過すると閉じられ、この動作が予め設定された回数だけ繰り返される。大当たり遊技状態には複数の種類があり、それぞれ、大入賞口２１が開放される回数、大入賞口２１が閉じられるまでの入賞球の数、大入賞口２１の開放時間の少なくともいずれかが異なっている。また、大当たり状態が確定した場合に、遊技機メイン基板４０は確率変動抽選を実行し、確率変動抽選に当選した場合には大当たりの当選確率が高まる確率変動状態に移行する。確率変動状態は大当たり終了後、次回の大当たり当選まで継続する。さらに、大当たり終了後には時間短縮遊技状態に移行することがあり、この時間短縮遊技状態では、図柄表示部４７の図柄が変動する時間が短縮され、遊技盤１６の電動役物（図示略）が始動入賞口１９への入賞を促進するよう動作することで、当落抽選の機会が増加する。これらの特別遊技状態では、大入賞口２１への入賞を容易にする、大当たり当選の確率が高まる、当落抽選の機会が増えるなど、いずれも、特別遊技状態以外の通常遊技状態に比べて賞球を獲得しやすくなっている。このため、通常遊技状態よりも多くの賞球の獲得が期待できる。
遊技機メイン基板４０の抽選により特別遊技状態に移行した場合、遊技機メイン基板４０は外部端子出力信号を生成して払出制御基板４１に出力する。この外部端子出力信号は、特別遊技状態への移行を示す信号、及び、この特別遊技状態の種類を示す信号を含んでいる。上述のように特別遊技状態には様々な状態があり、それぞれ入賞のしやすさや入賞により見込める賞球数等が異なっている。遊技機メイン基板４０は、これらの特別遊技状態を区別可能な外部端子出力信号を生成及び出力する。遊技機メイン基板４０が出力した外部端子出力信号は、払出制御基板４１及び外部端子板５４を経由して、ＣＲユニット６に外部端子出力信号Ｓｏｕｔとして出力される。
【００４１】
図柄表示部４７は、遊技盤１６に視認可能に設けられ、例えば７セグメント表示器や多数のＬＥＤランプにより構成されており、表示図柄（７セグ表示や点灯ＬＥＤランプの組み合わせ）によって当落抽選結果を表示する。図柄表示部４７では、当落抽選結果を示す表示図柄が、遊技機メイン基板４０が都度決定する時間の変動表示を経て表示される。また、遊技機メイン基板４０は、遊技機液晶表示器２４や音源、ランプ等により当落抽選結果に応じた遊技演出を行うべく、どういった演出を行うかを指定し、また図柄の変動時間（当落抽選結果の表示タイミング）等を指定する演出指示信号を、当落抽選結果を示す大当たり発生信号とともに演出用サブ基板４２に出力する。さらに遊技機メイン基板４０には、パチンコ機本体１８に設けられた前面扉の開放等の各種異常情報が払出制御基板４１から入力された場合には、音声やランプ、遊技機液晶表示器２４などの演出に供する各種の手段を適宜用いて異常を報知する。
【００４２】
払出制御基板４１は、遊技球の払出及び発射を管理する払出制御ＣＰＵ４１Ａを備えた基板であり、ＣＲユニット６との通電状態に基づいて接続状態を監視し、正常に接続されていない場合は、遊技球の発射を禁止する。
ここで、このパチンコ機５は、上述の通り、封入式の遊技機として構成されているため、遊技中にパチンコ機５の外から遊技球が投入されることはなく、当該遊技球の実際の投入に代えて、発射可能な遊技球の投入がデジタルデータ上で行われる。すなわち、払出制御基板４１は、遊技者が発射可能な遊技球の残数（以下、「発射可能玉数」と言う）を記憶する遊技機管理発射可能玉数記憶部４８を備え、発射可能玉数が「ゼロ」でない事を条件に、遊技球の発射を許可する発射許可信号を後述する発射制御基板４３に出力する。払出制御基板４１は、ＣＲユニット６から貸出指示信号が入力された場合、所定貸玉個数の遊技球の投入に代えて、当該所定貸玉個数分を発射可能玉数に加算し、加算結果をＣＲユニット６に返信する。
【００４３】
また、払出制御基板４１には、発射可能玉数の増減を管理可能にすべく、回収口２２に回収されたアウト玉を検知するアウト玉検知センサ４９、発射後遊技領域に到達しなかった遊技球であるファウル玉を検知するファウル玉検知センサ５０、及び、発射された遊技球を検知する１或いは複数の発射球検知センサ５１（図示例では１つ）のそれぞれの検知信号が入力される。そして、払出制御基板４１は、遊技機メイン基板４０から賞球払出指示信号を受けるごと、ファウル玉が検知されるごと、及びＣＲユニット６から貸出指示信号のいずれかが入力されるごとに発射可能玉数を加算更新し、また発射球検知センサ５１の検知信号が入力されるごとに発射可能玉数を減算更新することで発射可能玉数を（すなわち遊技者の持玉数）を管理し、また、この発射可能玉数を遊技機管理発射可能玉数表示灯５２に外部から視認可能に常時表示する。遊技中の発射可能玉数は、ＣＲユニット６の制御の下、パチンコ機５に設けられたタッチ液晶モジュール２７にも表示される。これに加え、遊技機管理発射可能玉数表示灯５２を外部から視認可能に設けることで、タッチ液晶モジュール２７が故障などしても、遊技者は遊技中の持玉数を把握できるようになっている。なお、アウト玉検知センサ４９及びファウル玉検知センサ５０の出力を遊技機メイン基板４０に入力し、当該遊技機メイン基板４０から払出制御基板４１に出力する構成としても良い。また、上記貸出指示は、プリペイド媒体１４の残価値を対価とした貸出に限らず、貯玉を用いた再プレイ、持玉の払い出しの利用に基づく指示も含む。このとき、不正防止を目的に１回の貸出あたりの玉数の上限をＣＲユニット６等に設定してもよい。
【００４４】
払出制御基板４１が管理する上記発射可能玉数は、遊技終了時に決済される。すなわち、遊技者が遊技を終了すべく、会員カード１４Ｂを返却するために返却スイッチ２５Ｂを操作すると、ＣＲユニット６から発射可能玉数移行要求コマンドが払出制御基板４１に出力される。払出制御基板４１は、この発射可能玉数移行要求コマンドを受信した場合、発射可能玉数をＣＲユニット６に価値移行する処理（決済処理）を行い、発射可能玉数をゼロにクリアする。ＣＲユニット６に移行した価値は、当該ＣＲユニット６から持玉管理サーバー３５Ｃに持玉数として出力され、そのパチンコ機５に玉貸が行われたときの遊技球の貸出単価に対応する持玉数として記録される。
【００４５】
上記発射制御基板４３は、発射許可信号が払出制御基板４１から入力されている事を条件に遊技球の発射を制御する基板であり、また遊技球の発射が可能か否かを示す発射状態信号を払出制御基板４１に出力する。この発射制御基板４３により、図示せぬ発射装置が制御され、遊技球発射ハンドル２６の操作量に応じた弾発力で遊技球が発射される。
また払出制御基板４１には、球磨制御基板５３が接続されている。球磨制御基板５３は、パチンコ機５に封入されている遊技球の玉磨機構を制御する基板である。払出制御基板４１は、遊技球発射時に打ち出し可能な遊技球が無くならないように球磨制御基板５３から玉磨状態を取得しながら制御する。さらに、払出制御基板４１には、パチンコ機本体１８に設けられた各種センサ（前面扉開放センサ、玉数異常検知センサ等）の検知情報を異常情報として遊技機メイン基板４０に出力する。
【００４６】
演出用サブ基板４２は、遊技機メイン基板４０の演出指示信号に基づいて、遊技機液晶表示器２４や図示せぬ音源、台枠ランプを制御して、当落抽選結果に応じた遊技演出を行う回路を搭載した基板であり、遊技機メイン基板４０に対して信号を出力することはなく、その動作が遊技機メイン基板４０の当落抽選結果に影響を及ぼす事がないように構成されている。演出用サブ基板４２は、各表示演出に用いる画像データを記憶し、遊技機メイン基板４０の演出指示信号及び演出の進行に合わせて画像データを順次読み出し、この画像データに基づく画像信号を遊技機液晶表示器２４に出力して、遊技機液晶表示器２４に表示する。
【００４７】
またパチンコ機５は、上述した部材の他にも、図２に示すように、外部端子板５４と、ＣＲ基板５５と、遊技機搭載暗号基板５６とを備え、さらに、パチンコ機本体１８には上述したタッチ液晶モジュール２７が組み込まれている。
外部端子板５４は、遊技情報を示す外部端子出力信号ＳｏｕｔをＣＲユニット６に一方向に出力する端子板であり、ＣＲユニット６から外部端子板５４への信号入力は禁止されている。外部端子板５４から出力される遊技情報は、遊技機メイン基板４０及び払出制御基板４１が管理する情報である。この遊技情報には、パチンコ機５での大当たり発生を示す大当たり信号、図柄表示部４７での図柄の変動停止を示す図柄停止信号、賞球数を示す賞球信号、アウト玉数を示すアウト玉信号、ファウル玉数を示すファウル玉信号等が含まれている。この遊技情報をＣＲユニット６が取得することで、大当たり信号及び図柄変動停止信号に基づいて大当たり発生や大当たり発生回数、図柄変動回数を特定し、また、アウト玉信号、ファウル玉信号及び賞球信号に基づいて、払出制御基板４１とは別に差玉を管理し、また、それらの情報を遊技台計数管理装置３５Ａに出力する。このＣＲユニット６により管理される差玉は後述する遊技機管理残玉数記憶部８６に記憶され、タッチ液晶モジュール２７にも随時表示される。
【００４８】
ＣＲ基板５５は、上記貸出スイッチ２５Ａ及び返却スイッチ２５Ｂのスイッチ操作信号をＣＲユニット６に出力する基板である。また、このＣＲ基板５５には、度数表示器５７及び貸出可能ランプ５８が接続されており、ＣＲ基板５５は、ＣＲユニット６から入力されたプリペイド媒体１４の残価値を示す度数を度数表示器５７に７セグメント等で表示するとともに、ＣＲユニット６からの貸出許可信号の有無に応じて貸出可能ランプ５８を点灯する。
【００４９】
遊技機搭載暗号基板５６は、パチンコ機５が備える各基板の中で、いわゆる主基板に分類される上記遊技機メイン基板４０、及び払出制御基板４１のそれぞれを相互認証する認証基板である。遊技機搭載暗号基板５６は、基板外部から内部の処理動作、処理内容等を特定不可能な、いわゆるブラックボックスとして構成され、各基板の相互認証を実行する専用の半導体チップであるセキュリティチップ６０Ａと、汎用ＣＰＵ５６Ａとが実装されている。セキュリティチップ６０Ａは、遊技機ＩＤ管理センターサーバー１３Ｄで管理されている遊技機ＩＤを用いて各基板の相互認証を実行する。また、遊技機搭載暗号基板５６は、セキュリティチップ６０Ａにより所定の暗号通信方式で上記遊技機ＩＤを暗号鍵として通信データを暗号化／復号化する機能を備え、パチンコ機５とＣＲユニット６の間の通信データをセキュリティチップ６０Ａが暗号化／復号化することで暗号通信が行われる。遊技機搭載暗号基板５６を通じてパチンコ機５とＣＲユニット６との間で送受される通信データは、主に、改ざん等により出球に影響を及ぼす虞があるデータであり、例えば、ＣＲユニット６がパチンコ機５に入力する貸出指示信号（持玉使用時にあっては払出指示信号）や上記遊技機ＩＤ、払出制御基板４１が出力する、玉貸／払出しが正常に完了したか否かを示す貸出（払出）結果信号、ＣＲ基板５５がＣＲユニット６に出力する貸出スイッチ２５Ａ及び返却スイッチ２５Ｂのスイッチ押下信号などである。なお、上記外部端子板５４と遊技機搭載暗号基板５６を１つの中継基板の上に設けてもよい。
【００５０】
上記遊技機ＩＤは、パチンコ機５ごとに固有に割り振られたＩＤであり、本実施形態では、遊技機メイン基板４０に搭載されている主制御ＣＰＵ４０ＡのＣＰＵ固有ＩＤ６１を用いる。遊技機メーカーは、パチンコ機５の製造出荷時に、遊技機メイン基板４０、及び払出制御基板４１のそれぞれに、当該ＣＰＵ固有ＩＤ６１を記録したセキュリティチップ６０Ｂ、６０Ｃを実装して出荷し、また、遊技機ＩＤ管理センターサーバー１３Ｄに、パチンコ機５の識別情報、出荷先、及び遊技機ＩＤを送信して記録し、出荷先の遊技店舗２の遊技機ＩＤ管理サーバー３５Ｆから参照可能にする。これらセキュリティチップ６０Ｂ、６０Ｃは、それぞれ上記遊技機搭載暗号基板５６に設けたセキュリティチップ６０Ａと同じく、遊技機ＩＤに基づいて暗号キーを生成し、当該暗号キーを用いてセキュリティチップ６０Ａ、６０Ｂ、６０Ｃの間の通信を暗号化／復号化して暗号通信する機能を備えている。
なお、遊技機搭載暗号基板５６、遊技機メイン基板４０、及び払出制御基板４１のそれぞれが遊技機ＩＤに基づいて暗号キーを生成し暗号通信に用いる構成とした、これに限らず、遊技機ＩＤ以外の情報を暗号キー生成のためのシード情報として用いる構成としても良い。この場合、遊技機搭載暗号基板５６とＣＲユニット６との間で共通の暗号キーを用いて暗号通信を可能にするために、暗号キーを生成するためのシード情報を、遊技機メーカーが遊技機ＩＤ管理センターサーバー１３Ｄ、及び遊技機ＩＤ管理サーバー３５Ｆを通じてＣＲユニット６が取得し暗号キーを生成可能にする。
このように、パチンコ機５に設けた各セキュリティチップ６０Ａ、６０Ｂ、６０Ｃが遊技機ＩＤに基づいて生成される暗号キーで暗号通信し、またＣＲユニット６に設けたセキュリティチップ６０Ｄは遊技機ＩＤ管理サーバー３５Ｆから受け取った遊技機ＩＤに基づいて暗号キーを生成する構成とすることで、暗号キー自体がパチンコ機５及びＣＲユニット６の間で送受されることがない。
【００５１】
パチンコ機５の基板間の相互認証について具体的には、例えばパチンコ機５の毎回の電源投入時に、遊技機搭載暗号基板５６のセキュリティチップ６０Ａが主導的に相互認証を行う。すなわち、セキュリティチップ６０Ａは遊技機メイン基板４０のセキュリティチップ６０Ｂ、及び払出制御基板４１のセキュリティチップ６０Ｃのそれぞれに対して認証開始要求を出力する。この認証開始要求を受けて、セキュリティチップ６０Ｂがセキュリティチップ６０Ａ、６０Ｃのそれぞれと遊技機ＩＤを交換し、各セキュリティチップ６０Ａ、６０Ｂ、６０Ｃが受け取った遊技機ＩＤと自身の遊技機ＩＤとに基づいて認証を行うことで相互認証を行う。またセキュリティチップ６０Ｃも同様に、セキュリティチップ６０Ａ、６０Ｂと遊技機ＩＤを交換し、各セキュリティチップ６０Ａ、６０Ｂ、６０Ｃが受け取った遊技機ＩＤと自身の遊技機ＩＤとに基づいて認証を行うことで相互認証を行う。これにより遊技機搭載暗号基板５６、遊技機メイン基板４０、及び払出制御基板４１の各基板間で相互認証が行われる。そして各セキュリティチップ６０Ｂ、６０Ｃは認証結果をセキュリティチップ６０Ａに出力し、当該セキュリティチップ６０Ａは、セキュリティチップ６０Ａ、６０Ｂ、６０Ｃのそれぞれの認証結果の不成立の有無に基づいてパチンコ機５における基板間の相互認証結果（成立／不成立）を判定しＣＲユニット６に出力する。このように相互認証においては、遊技機搭載暗号基板５６が主導的に行うことで、遊技機メイン基板４０、及び払出制御基板４１の不正改造などを発見し易くできる。
また、遊技機搭載暗号基板５６は、遊技機メイン基板４０、及び払出制御基板４１のいずれかが不正に交換される等して相互認証が不成立となった場合には、払出制御基板４１とＣＲユニット６の導通状態を遮断する等して遊技球の発射を禁止することで強制的に遊技不能状態にする。これにより、遊技機メイン基板４０、及び払出制御基板４１のいずれかが不正交換された状態での遊技を禁止できる。
【００５２】
なお、パチンコ機５の基板間認証を、遊技機搭載暗号基板５６、遊技機メイン基板４０、及び払出制御基板４１のそれぞれが同じＣＰＵ固有ＩＤ６１を保持しているか否かを判定することで行う構成を例示したが、これに限らない。
すなわち、先ず、遊技機搭載暗号基板５６、遊技機メイン基板４０、及び払出制御基板４１に実装されたそれぞれのセキュリティチップ６０Ａ、６０Ｂ、６０Ｃが正規のものか否かを判定することで、遊技機搭載暗号基板５６、遊技機メイン基板４０、及び払出制御基板４１のそれぞれが正規のものか否かを判定し（正規基板判定）、次いで、遊技機メイン基板４０の主制御ＣＰＵ４０Ａとセキュリティチップ６０Ｂのペア（対）が正しい組み合わせかを判定する（正規ＣＰＵ判定）ことで行っても良い。
このように、正規基板判定と正規ＣＰＵ判定を行うことで、基板の不正交換、並びに、遊技機メイン基板４０の主制御ＣＰＵ４０Ａの不正交換を確実に検知することができる。
【００５３】
セキュリティチップ６０Ａ、６０Ｂ、６０Ｃが正規のものか否かの判定（正規基板判定）は、例えば遊技機搭載暗号基板５６のセキュリティチップ６０Ａが、他のセキュリティチップ６０Ｂ、６０Ｃを認証することで行われる。この認証には任意の認証手法を用いることができる。
また、遊技機メイン基板４０の主制御ＣＰＵ４０Ａとセキュリティチップ６０Ｂのペア（対）の判定（正規ＣＰＵ判定）は、遊技機搭載暗号基板５６が遊技機メイン基板４０にＣＰＵ固有ＩＤ６１の返信を要求するときに、セキュリティチップ６０Ｂに記録されたＣＰＵ固有ＩＤ６１も合せて返信するように要求し、両者を比較し、一致／不一致を判定することにより行われる。この場合には、遊技機搭載暗号基板５６、遊技機メイン基板４０、及び払出制御基板４１のそれぞれのセキュリティチップ６０Ａ、６０Ｂ、６０ＣにＣＰＵ固有ＩＤ６１を記録する必要はなく、遊技機メイン基板４０のセキュリティチップ６０ＢにのみＣＰＵ固有ＩＤ６１を予め記録しておけば十分である。
【００５４】
遊技機搭載暗号基板５６からＣＲユニット６に出力された認証結果は、遊技台計数管理装置３５Ａ及びタッチ液晶モジュール２７に出力されるとともに、パチンコ機５に設けたＬＥＤランプ等に直接出力される。このように、相互認証結果をパチンコ機５の外部のみならずパチンコ機５のＬＥＤランプ等にも出力することで、外部との通信線に対する不正行為により、相互認証結果が正常に出力されない場合でも、ＬＥＤランプの点灯等で遊技場の管理者にパチンコ機５の相互認証結果を通知することができる。
【００５５】
またパチンコ機５においては、遊技機メイン基板４０を遊技盤１６に取り付け、払出制御基板４１をパチンコ機本体１８の本体枠に取り付けて構成されている。この構成においては、パチンコ機本体１８の本体枠を機種毎に共通に使用し、遊技盤１６を機種毎に設けることで複数の機種が構成されており、実際に、遊技店舗２においてパチンコ機５を入れ替える時には、遊技盤１６だけを取り替えるという運用が一般的である。このような場合に、パチンコ機本体１８に、本来とは異なる他の遊技盤１６を誤って取り付けてしまった場合、遊技機搭載暗号基板５６により遊技機メイン基板４０、及び払出制御基板４１の相互認証が不成立となることから、作業者は、上記のような誤取付を容易に察知でき、誤った組み合わせでのパチンコ機５の稼働を防止できる。
【００５６】
パチンコ機本体１８に組み込まれたタッチ液晶モジュール２７は、ＣＲユニット６により制御されて当該ＣＲユニット６の表示部として機能する。すなわち、ＣＲユニット６が遊技球貸出装置の装置本体に、タッチ液晶モジュール２７が遊技球貸出装置の表示部に相当し、これらによって遊技球貸出装置６５（遊技媒体貸出装置）が構成される。
【００５７】
タッチ液晶モジュール２７は、遊技球貸出装置６５の装置本体たるＣＲユニット６に互いに通信可能に接続されており、タッチパネルを備えた液晶表示部６６を備え、この液晶表示部６６の表示画像を制御する画像表示制御信号ＳｇがＣＲユニット６から入力されている。液晶表示部６６に対するタッチ操作は、ＣＲユニット６にタッチ操作入力信号Ｓｔとして出力され、当該ＣＲユニット６にタッチ操作が入力される。すなわち、このタッチ液晶モジュール２７は、パチンコ機５に組み込まれているものの、その表示動作はＣＲユニット６によって制御され、なおかつ、入力操作はＣＲユニット６に出力されており、ＣＲユニット６の表示部及び操作部として構成されている。
【００５８】
また、ＣＲユニット６からタッチ液晶モジュール２７には、当該タッチ液晶モジュール２７の電力供給線６７を介して動作電力が供給されている。すなわち、タッチ液晶モジュール２７は、ＣＲユニット６との間でパチンコ機５を介さずに直接的に通信し、また、動作電力もＣＲユニット６から供給を受ける構成であるため、パチンコ機５が備える電気回路を変更する必要が無く、製造等が容易となる。
【００５９】
ＣＲユニット６は、貸出装置制御基板６８と、プリペイド媒体１４を読み書きする価値媒体Ｒ／Ｗ６９と、所定の遊技者に対してコンテンツ配信等のサービスを提供すべく遊技者ＩＤを記録した例えば電子決済機能付き携帯電話等に対し遊技者ＩＤを読み書きするＩＤ識別媒体Ｒ／Ｗ７０と、紙幣識別機７１と、リモコン操作を受け付けるためのリモコン受光部７２と、各種異常等を検知するためのセンサ類７３と、貸出装置搭載暗号基板７４と、電源モジュール７５とを備えている。
電源モジュール７５は、ＣＲユニット６の各部に電源を供給するとともに、上記のように、タッチ液晶モジュール２７にも電力を供給する。また、この電源モジュール７５の電力が貸出Ｉ／Ｆ用電源として、パチンコ機５の遊技機搭載暗号基板５６、払出制御基板４１、及びＣＲ基板５５のそれぞれに出力されている。遊技機搭載暗号基板５６、及びＣＲ基板５５は、この貸出Ｉ／Ｆ用電源を駆動電源とし駆動し、また、払出制御基板４１は貸出Ｉ／Ｆ用電源の入力を検知することでＣＲユニット６との導通状態を検知する。すなわち、払出制御基板４１への貸出Ｉ／Ｆ用電源の入力を遮蔽することでパチンコ機５とＣＲユニット６とが非導通状態となり、パチンコ機５での遊技球の発射が禁止される。なお、遊技機搭載暗号基板５６、及びＣＲ基板５５は、貸出Ｉ／Ｆ用電源の供給を検知していれば、パチンコ機５が備える電源を駆動電源として駆動しても良い。
【００６０】
貸出装置搭載暗号基板７４と遊技機搭載暗号基板５６とは、それぞれＣＲユニット６の電源モジュール７５とパチンコ機５の電源とによって駆動されるが、相互間の通信路の電気的ノイズを低減するために、貸出装置搭載暗号基板７４、及び遊技機搭載暗号基板５６をＣＲユニット６、及びパチンコ機５から電気的に絶縁する構成としても良い。すなわち、貸出装置搭載暗号基板７４、及び遊技機搭載暗号基板５６の通信路用に供される専用の所定電圧の直流電源をＣＲユニット６に設ける構成としても良い。また、専用の直流電源に対して、所定電圧を生成するための電力をパチンコ機５側から電力線ＰＬを介して供給する構成としても良い。
【００６１】
このＣＲユニット６には、パチンコ機５との接続コネクタとして、外部端子板５４及び遊技機搭載暗号基板５６との間の通信線を接続するコネクタＣＡと、タッチ液晶モジュール２７との間の通信線を接続するコネクタＣＢとが、それぞれ別々に設けられている。
【００６２】
貸出装置制御基板６８は、各部を制御する主制御用のＣＰＵ７６Ａと、高速Ｉ／Ｏ（Input／Output）用のＣＰＵ７６Ｂとを、それぞれに別々に有している。ＣＰＵ７６Ｂは、主としてタッチ液晶モジュール２７に各種情報を表示するための画像処理や、当該タッチ液晶モジュール２７に対するタッチ操作の受付処理といった、高速なデータのＩ／Ｏを要求される処理の制御を主に実行するものである。すなわち、貸出装置制御基板６８には、高速Ｉ／Ｏ部品として、コンテンツサーバー３５Ｅとの通信インターフェースである高速Ｉ／Ｆ７７と、ワンセグ放送（ワンセグ：携帯電話・移動体端末向けの１セグメント部分受信サービス）を受信してタッチ液晶モジュール２７に表示するワンセグユニット７８と、画像や動画のキャッシュとして機能する画像・動画一時記憶部７９と、タッチ液晶モジュール２７との間で画像表示制御信号Ｓｇを送受する通信Ｉ／Ｆとである高速通信Ｉ／Ｆ８０と、当該タッチ液晶モジュール２７からのタッチ操作信号の入力インターフェースであるシリアル通信Ｉ／Ｆ８１とが設けられており、これらがＣＰＵ７６Ｂによって制御される。このように画像処理等のデータの高速Ｉ／Ｏが要求される処理用に専用のＣＰＵ７６Ｂを設けることで処理の遅延が防止される。
【００６３】
２つのＣＰＵ７６ＡとＣＰＵ７６Ｂとは、それぞれＣＰＵ間通信Ｉ／Ｆ８２Ａ、８２Ｂによって相互にデータ通信可能に接続され、連携が図られている。
主制御用のＣＰＵ７６Ａは、プリペイド媒体１４や会員カード１４Ｂのデータの読み書き、管理コンピュータ群８、及びデータ表示器３４とのデータ送受等の制御、パチンコ機５に対する玉貸制御の他、さらに遊技中におけるプリペイド媒体１４の残価値、持玉数、及び再プレイ可能玉数（貯玉数）を管理する。
詳述すると、ＣＰＵ７６Ａは、キャッシュメモリを備え、当該キャッシュメモリを、プリペイド残価値記憶部８３、貸出装置管理持玉数記憶部８４、再プレイ可能玉数記憶部８５、遊技機管理残玉数記憶部８６として機能させる。
プリペイド残価値記憶部８３は、プリペイド媒体１４の残価値を記憶するものであり、プリペイド媒体１４の投入時、或いは発行時にプリペイド管理サーバー３５Ｂから取得した残価値を初期値として記憶し、玉貸操作に伴って残価値を減算更新し、またチャージ操作に伴って加算更新する。
【００６４】
貸出装置管理持玉数記憶部８４は、遊技者の持玉数を記憶する。すなわち、プリペイド媒体１４がＣＲユニット６に投入されたときに、持玉管理サーバー３５Ｃで管理されている持玉数が読み出されて貸出装置管理持玉数記憶部８４に貸出装置管理持玉数として格納され、またタッチ液晶モジュール２７に表示される。この貸出装置管理玉数は、遊技者が持玉を使用するごとに減算更新される。また、この貸出装置管理玉数は、パチンコ機５に記録されている遊技機管理発射可能玉数をパチンコ機５から持玉に移行する操作を遊技者が行った事を契機に加算更新される。本実施形態では、遊技終了のための返却スイッチ２５Ｂの操作を移行操作とみなし、プリペイド媒体１４の返却時に、貸出装置管理玉数を遊技機管理発射可能玉数で加算更新し、更新後の貸出装置管理玉数を持玉管理サーバー３５Ｃに通知し、またプリペイド媒体１４に記録する。この移行操作に伴い、遊技機管理発射可能玉数は「ゼロ」にクリアされる。
なお、持玉管理サーバー３５Ｃで管理されている持玉数を貸出装置管理持玉数記憶部８４に格納する構成に限らず、例えばプリペイド媒体１４に記録されている持玉数や会員・景品管理サーバー３５Ｄで管理されている貯玉数を貸出装置管理持玉数記憶部８４に格納しても良い。
また、遊技機管理発射可能玉数から持玉への移行の契機としては、上記の他にも、例えばタッチ液晶モジュール２７に設けた移行操作のためのボタンに対するタッチ操作や、休憩時にパチンコ機５をロックするための休憩ボタンが操作されたときなどが挙げられる。この休憩ボタン操作時のパチンコ機５のロック機能によれば、ロック時には、ＣＲユニット６が貸出指示信号を送信しないようにすることでパチンコ機５での遊技球の貸出動作が行われないようになり、また遊技機管理発射可能玉数が持玉に移行して「ゼロ」にクリアされることで、遊技球を用いた遊技ができない状態（ロック状態）に維持される。
【００６５】
再プレイ可能玉数記憶部８５は、遊技者の貯玉数を記憶するものであり、会員カード１４Ｂの挿入後パスワード認証正常終了時に、会員・景品管理サーバー３５Ｄから取得した貯玉数を初期値として記憶し、貯玉の払出操作に伴って貯玉数を減算更新する。この貯玉数は、タッチ液晶モジュール２７に再プレイ可能玉数として表示され、返却スイッチ２５Ｂの操作時に、再プレイ可能玉数記憶部８５に記憶されている貯玉数が会員・景品管理サーバー３５Ｄに送信されて記録される。なお、このキャッシュメモリは、その他、各種情報の記憶部８７としても用いられる。
【００６６】
またＣＰＵ７６Ａは、上記ＣＰＵ７６Ｂが高速Ｉ／Ｏ部品を制御したのに対して、それよりも低速で良いＩ／Ｏ部品を制御する。すなわち、貸出装置制御基板６８には、店内ＬＡＮ９を介した管理コンピュータ群８との通信インターフェースであるシリアル通信Ｉ／Ｆ８８と、ホールコンＩ／Ｆ装置３６を介した遊技台計数管理装置３５Ａとの通信インターフェースであるシリアル通信Ｉ／Ｆ８９と、パチンコ機５の外部端子板５４との通信インターフェースである入力専用のシリアル通信Ｉ／Ｆ９０と、後述する貸出装置搭載暗号基板７４との通信インターフェースであるシリアル通信Ｉ／Ｆ９１とを備え、これらがＣＰＵ７６Ａによって制御されている。
また、貸出装置制御基板６８には、パラレル信号線１０Ａを介して遊技台計数管理装置３５Ａと接続するためのパラレルポート９２が設けられており、パラレルポート９２からの出力が光ＭＯＳリレー等の駆動回路を備えた信号変換器９３で信号変換され、パラレル出力用コネクタ９４に接続されたパラレル信号線１０Ａを介して遊技台計数管理装置３５Ａに出力される。
【００６７】
このように構成される遊技管理システム３において、遊技球貸出装置６５は、会員カード１４Ｂが投入されると、この会員カード１４Ｂに記録されている識別情報（会員カード番号）を価値媒体Ｒ／Ｗ６９によって読み取る。そして、遊技球貸出装置６５は、読み取った会員カード番号をもとに会員・景品管理サーバー３５Ｄに問い合わせを行い、この会員カード１４Ｂを使用する顧客会員を特定し、特定した顧客会員について会員・景品管理サーバー３５Ｄが記憶している情報を元に、タッチ液晶モジュール２７に画面を表示する。この動作において、タッチ液晶モジュール２７は表示装置として機能し、ＣＰＵ７６Ａは、遊技者特定手段、表示情報取得手段、及び表示制御手段として機能する。また、会員・景品管理サーバー３５Ｄは管理装置として機能する。
【００６８】
図４は、タッチ液晶モジュール２７に表示される画面の例を示す図であり、（Ａ）は会員カード１４Ｂの投入後最初に表示されるマイページ１１０の例を示し、（Ｂ）はパチンコ機５の遊技に関する情報を表示する遊技情報表示画面１２０の例を示す。
図４（Ａ）に例示するマイページ１１０には、顧客会員の情報を表示する会員情報表示部１１１、顧客会員のアバターを表示するアバター表示部１１２、メニュー画面やサービス提供画面への遷移指示あるいは遊技終了を指示するボタン１１３、会員カード１４Ｂに対応するプリペイド残価値と、貯玉の数を示す再プレイ可能玉数と、持玉数と、貯玉数とを表示する価値情報表示部１１４、遊技者に案内する情報が表示される情報表示部１１５、及び、来店ポイント表示部１１６等が配置されている。
【００６９】
価値情報表示部１１４に表示されるプリペイド残高とはプリペイド媒体１４のプリペイド残価値を指し、プレイ可能玉とは、パチンコ機５の遊技機管理発射可能玉数記憶部４８に記憶されている玉数（発射可能玉数）であり、ＣＲユニット６は遊技機管理残玉数記憶部８６に記憶して管理している。また、当日持玉とは、パチンコ機５の遊技終了時に遊技機管理発射可能玉数記憶部４８に記憶されていた玉数がＣＲユニット６に持玉として移行されたもので、ＣＲユニット６の貸出装置管理持玉数記憶部８４及び持玉管理サーバー３５Ｃに記憶されている。この当日持玉は、タッチ液晶モジュール２７に表示される「払出」ボタン（図示略）の操作に応じて所定玉数単位でパチンコ機５にプレイ可能玉として移行され、移行された分の当日持玉は減算される。
また、貯玉とは、当日持玉がゼロにならないで翌日に持ち越された場合に、当該会員が遊技店舗２に預けた玉として扱われるもので、貯玉として会員・景品管理サーバー３５Ｄに管理される。会員カード１４Ｂが投入されたＣＲユニット６は会員・景品管理サーバー３５Ｄから貯玉数を取得して再プレイ可能玉数記憶部８５に記憶する。貯玉は、タッチ液晶モジュール２７に表示される「再プレイ」ボタン（図示略）の操作に応じて所定玉数単位でパチンコ機５にプレイ可能玉として移行され、移行された分の貯玉は減算される。この貯玉をプレイ可能玉に移行する場合に、手数料として別途貯玉を減算する構成としてもよい。
【００７０】
また、来店ポイント表示部１１６に表示される来店ポイントは、遊技店舗２への来店、及び、遊技店舗２における消費に対して遊技者に与えられるインセンティブである。来店ポイント数は、遊技者の会員番号に対応付けて遊技台計数管理装置３５Ａが管理する。この来店ポイントは、例えば来店１回につき１ポイント（１日１ポイントのみ）、所定金額（例えば、５００円）消費する毎に１ポイント（１日１０ポイントを上限とする）与えられる。来店ポイントに対しては、１ポイント＝１円としてプリペイド残価値に換算可能にする、景品と交換する際の対価として持玉または貯玉と合わせて使用可能とする、来店ポイント専用に、来店ポイント数に応じて遊技者にプレゼントされる専用景品を用意する等の特典が与えられるようにする。これにより、遊技者に対して、来店と消費に対するインセンティブを与えて、来店頻度を高めることができる。
このマイページ１１０は、会員カード１４Ｂが投入された後、タッチ液晶モジュール２７へのタッチ操作によってマイページの表示が指示された場合に表示されるが、会員カード１４Ｂの投入を検出した場合に、タッチ液晶モジュール２７への操作がなくてもマイページ１１０を表示する構成としてもよい。
【００７１】
会員情報表示部１１１には会員・景品管理サーバー３５Ｄが記憶する顧客会員マスタ情報３Ａの会員番号やニックネームが表示される。また、アバター表示部１１２には会員・景品管理サーバー３５Ｄが記憶するマイページ設定情報３Ｂの情報に基づいてアバターが表示される。
ここで、タッチ液晶モジュール２７に表示されるアバターとは、遊技者の顔写真等に代えて表示される擬人的なキャラクターの画像であり、いわば遊技者対応画像と言うことができる。アバターの実体は、遊技者に対応付けられた画像データであり、遊技者の会員としての情報とともに、例えば遊技台計数管理装置３５Ａに記憶される。各遊技者に対応付けられたアバターとしての画像は、遊技者がタッチ液晶モジュール２７を操作することによって一部または全部を変更することができ、より詳細な編集を可能としてもよく、遊技台計数管理装置３５Ａが記憶する複数の画像から、遊技者の年齢や性別により自動的に選択されてもよい。
価値情報表示部１１４に表示されるプリペイド残価値はＣＲユニット６がプリペイド管理サーバー３５Ｂに問い合わせて取得した情報であり、再プレイ可能玉数はＣＲユニット６が会員・景品管理サーバー３５Ｄから取得した情報であり、持玉数はＣＲユニット６が持玉管理サーバー３５Ｃから取得した情報である。
【００７２】
情報表示部１１５には、ＣＲユニット６が、会員・景品管理サーバー３５Ｄから取得した顧客会員の属性を示す情報に基づいて選択または生成した情報が表示される。図４（Ａ）の例では顧客会員の誕生日を祝うメッセージが情報表示部１１５に表示されているが、このメッセージは、ＣＲユニット６が会員・景品管理サーバー３５Ｄから取得した顧客会員の生年月日に基づいて、ＣＲユニット６が表示するものである。情報表示部１１５に表示される内容は、図４（Ａ）に例示したように遊技者の誕生日や誕生月におけるお祝いのメッセージ、会員登録した日から起算した周年のお祝いなど、当該遊技者の記念日を告知するものが挙げられる。この他に、ニュース、夕食用メニューのレシピ、この遊技管理システム３が設置された遊技場におけるパチンコ機５の新機種に係る情報、当該遊技場のイベントに関する情報等を表示することもできる。これらの情報を表示する場合、マイページ１１０を表示する際にＣＲユニット６が遊技台計数管理装置３５Ａに問い合わせを行い、この問い合わせに対する応答として、遊技台計数管理装置３５Ａから表示可能な情報の一覧が送信され、これらの情報からＣＲユニット６が遊技者の属性に基づいて選択して表示する、という手順で実行される。具体的には、遊技者の性別に応じて、表示する情報としてニュースと料理のレシピのいずれかを選択し、さらに遊技者の年齢に応じて情報の内容を選択することができる。このように遊技者の属性に基づいて情報を選択することで、遊技者にとって有益、或いは、遊技者が興味を持つ可能性が高い情報を表示できる。従って、ＣＲユニット６は、遊技者に合わせた情報をタッチ液晶モジュール２７に表示し、より効果的に案内等を行うことができ、興趣性を高めることもできる。
【００７３】
さらに、情報表示部１１５に表示されるメッセージ等の情報は、遊技台計数管理装置３５Ａが記憶するだけでなく、遊技店舗２のホールスタッフが、遊技管理システム３に接続された端末装置により入力し、この入力された情報が遊技管理システム３の各遊技球貸出装置６５のタッチ液晶モジュール２７により表示される構成としてもよい。入力された情報は、全ての遊技球貸出装置６５により、リアルタイムで表示されてもよいし、予め指定された条件（日時）に合わせて表示されてもよく、入力された複数の情報を、会員顧客の属性等の条件に合わせて選択して表示してもよい。これらの条件は、上記の端末装置により上記情報とともに入力・設定可能な構成としてもよい。具体的な情報の例としては、遊技店舗２におけるイベントの案内（例えば、「○月○日に△△祭り！」）や、遊技店舗２の近隣の商店街と協力して顧客会員向けの連携サービス（例えば、会員カード１４Ｂの提示による割引サービスなど）、このような提携サービスを受けられる店舗の紹介など、様々な情報を入力し、タッチ液晶モジュール２７に表示させることができる。
なお、遊技台計数管理装置３５Ａから遊技球貸出装置６５に提供される表示用の情報の中には遊技者の属性に関係なく全ての遊技者に提供される情報も含まれ、また、ＣＲユニット６は、遊技者の属性だけでなく、例えば乱数に従って情報表示部１１５に表示する情報を選択してもよい。
【００７４】
また、ＣＲユニット６は、タッチ液晶モジュール２７に表示されるマイページ１１０や遊技情報表示画面１２０、或いはその他の画面において他業種の店舗の広告を表示することもでき、この広告は有料で出稿を募ってもよいし近隣の店舗の広告を無料で表示してもよい。この遊技場内の景品カウンターで交換可能な景品について、新作景品の入荷に関する情報や人気景品のランキング等の情報を表示することもできる。遊技場に関して、トイレの位置、自動販売機の位置、景品カウンターの位置、景品交換所の位置、或いは、火災や災害時の避難経路等の情報を表示してもよい。
【００７５】
ＣＲユニット６は、マイページ１１０または遊技情報表示画面１２０の表示中にボタン１１３の操作がなされた場合に、サービス提供画面へ移行する。このサービス提供画面には遊技者が遊技中に注文可能な商品（飲料、たばこ、各種サービス等）が一覧表示され、表示中の商品から遊技者が希望のものを選択して注文すると、選択された商品を示す情報がＣＲユニット６により遊技台計数管理装置３５Ａに送信される。遊技台計数管理装置３５Ａは、ＣＲユニット６から受信した情報に基づいて、景品カウンターにいるホールスタッフに分かるように、注文を行ったＣＲユニット６の位置と注文された商品とを示す情報を出力する。これにより、ホールスタッフが、注文を行った遊技者のところへ注文された商品を届けることができる。また、この動作とともに、ＣＲユニット６は、選択された商品またはサービスの対価に相当する分だけ持玉、貯玉またはプリペイド残価値を減算する処理を行い、減算後の持玉数、貯玉数またはプリペイド残価値を、会員・景品管理サーバー３５Ｄ、持玉管理サーバー３５Ｃまたはプリペイド管理サーバー３５Ｂに送信する。このように、タッチ液晶モジュール２７にサービス提供画面が表示されると、遊技者は、パチンコ機５の前から離席することなく商品を注文し、商品の提供を受けることができる。この対価は、持玉或いは貯玉、または双方合算した価値の範囲で決済することができる。さらに、プリペイド残価値を対価に充当して決済できる構成としてもよい。
【００７６】
また、ＣＲユニット６は、タッチ液晶モジュール２７における操作に応じて、パチンコ機５の遊技履歴（台履歴）を遊技台計数管理装置３５Ａから取得して、タッチ液晶モジュール２７に表示する機能を有する。
上述のように、遊技管理システム３を構成する各パチンコ機５に接続された各々のＣＲユニット６は、それぞれ、パチンコ機５から入力される外部端子出力信号Ｓｏｕｔに基づいて、パチンコ機５の遊技情報を抽出し、取得する。この遊技情報は、パチンコ機５のアウト玉、入賞、図柄停止、大当たり発生、賞球の払出等の動作の回数や球数を示す情報である。ＣＲユニット６のＣＰＵ７６Ａは、パチンコ機５への貸出球数の情報と合わせて外部端子出力信号Ｓｏｕｔを解析し、集計することで、パチンコ機５の遊技におけるアウト玉数、賞球数、差玉数、大当たり回数、図柄停止回数等の情報を得ることができる。各々のＣＲユニット６は、集計した遊技情報を遊技台計数管理装置３５Ａに送信し、遊技台計数管理装置３５Ａは、遊技情報を受信する。そして、遊技台計数管理装置３５Ａは、遊技情報を送信した各々のＣＲユニット６が接続されたパチンコ機５の台番号と対応付けて、受信した遊技情報を記憶するとともに、パチンコ機５の台番号毎に遊技情報を集計し、蓄積する。これらの遊技情報は、例えば、遊技台計数管理装置３５Ａにより日ごとに集計された上で、台番号毎および日毎に蓄積される。蓄積される情報量は遊技台計数管理装置３５Ａの記憶容量や遊技店舗２におけるパチンコ機５の台数により適宜変更可能であるが、例えば、過去７日間の遊技情報が日毎に蓄積される構成とすればよい。
【００７７】
ＣＲユニット６がタッチ液晶モジュール２７の操作に応じて、遊技台計数管理装置３５Ａに対して遊技情報の送信を要求すると、遊技台計数管理装置３５Ａは、要求された台番号に対応する遊技情報を送信する。この際、遊技台計数管理装置３５Ａは、集計した情報を、ＣＲユニット６から要求された形態に編集し、その形態で表示するための表示情報を生成してＣＲユニット６に送信することも可能である。
図５はタッチ液晶モジュール２７に遊技情報（台履歴）を表示する画面の構成例を示す図である。図５（Ａ）は折れ線グラフ形態で表示する例であり、図５（Ｂ）は棒グラフ形態で表示する例である。
【００７８】
図５（Ａ）に示す台履歴表示画面１３０には、会員情報表示部１１１及びボタン１１３の他、パチンコ機５の台番号を表示する台番号表示部１３１、遊技情報として集計された数値を項目毎に表示する遊技情報表示部１３２、及び、遊技情報をグラフ化して表示するグラフ表示部１３３が配置されている。図５（Ａ）の例では、グラフ表示部１３３に、折れ線グラフ１３４の形態で出玉の推移を示すスランプグラフが表示されている。このスランプグラフは一日の出玉の推移を示しており、グラフ表示部１３３上部に配された「当日」、「前日」等のボタンにより、表示対象の日を、過去４日間から選択できる。図５（Ｂ）の例は、グラフ表示部１３３に棒グラフ１３６の形態で、１日に発生した各大当りについて、大当り発生までの回転（入賞）回数が表示され、棒グラフ１３６の下方には大当りの継続回数が数値で表示されている。
【００７９】
台番号表示部１３１に表示される台番号は、遊技情報表示部１３２及びグラフ表示部１３３に表示中の遊技情報に対応するパチンコ機５の台番号である。
また、遊技情報表示部１３２及びグラフ表示部１３３に表示される情報は、ＣＲユニット６が遊技台計数管理装置３５Ａに要求し、この要求に応じて遊技台計数管理装置３５Ａから送信される情報である。図５（Ａ）の例ではグラフ表示部１３３に折れ線グラフ１３４が表示されているが、情報をグラフ化する処理は、タッチ液晶モジュール２７のＣＰＵ（図示略）が同モジュールの画像処理機能を制御することによって行うことができるし、また、ＣＲユニット６のＣＰＵ７６Ａが行ってもよい。或いは、遊技台計数管理装置３５Ａが同処理を行ってもよい。具体的には、ＣＲユニット６が、折れ線グラフ形態で表示するための情報を遊技台計数管理装置３５Ａに要求した場合に、遊技台計数管理装置３５Ａが、折れ線グラフや棒グラフの形態でデータを表示するための数値をＣＲユニット６に送信して、この数値に基づいてタッチ液晶モジュール２７の画像処理機能またはＣＰＵ７６Ａによりグラフを含む画像データが生成され、或いは、遊技台計数管理装置３５Ａが折れ線グラフや棒グラフを表示するための画像データを生成してＣＲユニット６に送信する。
【００８０】
また、タッチ液晶モジュール２７に台履歴表示画面１３０が表示された状態で、グラフ表示部１３３へのタッチ操作や、図示しないグラフ操作用のボタンの操作により、グラフの表示状態を変更することもできる。例えば図５（Ａ）のグラフ表示部１３３で折れ線グラフ１３４に重なる位置でのタッチ操作や、手指をスライドさせるスライド操作が行われた場合に、グラフの時間軸を左右に移動させたり、上下方向の数値のスケールを拡大／縮小したり、グラフの形態を変えたりすることが可能である。これらの処理は、遊技台計数管理装置３５Ａへの再度の要求を行わなくても、タッチ液晶モジュール２７のＣＰＵ（図示略）が同モジュールの画像処理機能を制御することで、ローカルに取得している数値データに基づいて表示を変更することができる。勿論、ＣＲユニット６のＣＰＵ７６Ａがグラフを表示するためのデータを更新することで、表示を変更する処理を実行してもよい。
【００８１】
ＣＲユニット６が台履歴表示画面１３０では、ＣＲユニット６に接続されているパチンコ機５の他、遊技店舗２に設置された他のパチンコ機５の遊技情報を表示できる。この場合、タッチ液晶モジュール２７の操作により、表示させたい台番号が入力されると、ＣＲユニット６が、入力された台番号の遊技情報を遊技台計数管理装置３５Ａに要求し、この要求に応答して遊技台計数管理装置３５Ａが遊技情報を送信する。ここで、ＣＲユニット６は、投入されている会員カード１４Ｂに対応付けられた会員番号とともに遊技台計数管理装置３５Ａに要求を送信し、遊技台計数管理装置３５Ａが、顧客会員として登録された会員番号であることを認証し、この認証に成功した場合に、他のパチンコ機５の遊技情報をＣＲユニット６に送信するようにしてもよい。この認証においてはタッチ液晶モジュール２７においてパスワードの入力を求めてもよい。この構成によれば、遊技店舗２の顧客会員として登録され、会員用の会員カード１４Ｂを持っている遊技者に対してのみ、特典的な機能として、自分が遊戯しているパチンコ機５以外のパチンコ機５の台履歴を見られるサービスを提供できる。この場合に、ビジター会員に対しては遊技中のパチンコ機５の台履歴のみを見られるサービスを提供することもできる。
ＣＲユニット６は、図４を参照して説明したように、遊技者毎の属性等に係る情報に基づいてタッチ液晶モジュール２７に情報を表示することが可能である一方、図５を参照して説明したように、パチンコ機５の台毎に蓄積された情報を表示することも可能である。遊技者は、パチンコ機５の前に居ながらにして多様な情報をタッチ液晶モジュール２７によって得ることができ、大幅に利便性が高まるばかりか、遊技に関する情報を効率よく提供して、興趣性の向上を図ることもできる。
【００８２】
以上のように、本発明を適用した実施形態では、遊技球を使用して遊技を実行するパチンコ機５に接続され、パチンコ機５に対して遊技球の貸出を行う遊技球貸出装置６５と、パチンコ機５と同じ遊技場に設置され、遊技球貸出装置６５に通信可能に接続された遊技台計数管理装置３５Ａまたは会員・景品管理サーバー３５Ｄとを備えた遊技管理システム３において、遊技球貸出装置６５は、パチンコ機５側に設けられ、表示を行うとともに表示する情報を要求するための操作が可能なタッチ液晶モジュール２７と、タッチ液晶モジュール２７の操作により要求された情報を遊技台計数管理装置３５Ａまたは会員・景品管理サーバー３５Ｄから取得し、取得した情報をタッチ液晶モジュール２７に表示させるＣＰＵ７６Ａとを備える。これにより、パチンコ機５に接続された遊技球貸出装置６５が、遊技者によって要求された情報をパチンコ機５と同じ遊技場に設置された遊技台計数管理装置３５Ａまたは会員・景品管理サーバー３５Ｄから取得し、取得した情報をタッチ液晶モジュール２７に表示するので、同じ遊技場内の遊技台計数管理装置３５Ａまたは会員・景品管理サーバー３５Ｄが管理する様々な情報を表示することができる。この構成によれば、同じ遊技場に設置された装置から情報を取得して表示することで、遊技球貸出装置６５が記憶する情報に比べて格段に多くの情報を表示可能となり、かつ、同じ遊技場に設置された遊技台計数管理装置３５Ａまたは会員・景品管理サーバー３５Ｄから情報を提供することで、遊技台計数管理装置３５Ａまたは会員・景品管理サーバー３５Ｄと遊技球貸出装置６５との間のセキュリティを確保できる。
【００８３】
また、遊技管理システム３は、予め登録された遊技者毎に、各遊技者の属性に係る情報を記憶した会員・景品管理サーバー３５Ｄを備え、遊技球貸出装置６５は、パチンコ機５を使用する遊技者を特定し、特定した遊技者に係る情報を会員・景品管理サーバー３５Ｄから取得し、取得した情報に基づいて、当該遊技者向けの情報をタッチ液晶モジュール２７に表示させるので、各々の遊技者に個別に様々な情報を表示して、効率よく情報を提供できる。
また、パチンコ機５は、遊技球を使用して遊技を実行して当落抽選を行い、抽選結果に応じて賞遊技球が獲得されるよう構成され、遊技球貸出装置６５は、パチンコ機５における遊技で使用された遊技球の数或いは獲得された賞遊技球数のうち少なくともいずれかを含む遊技情報を遊技台計数管理装置３５Ａまたは会員・景品管理サーバー３５Ｄに送信し、遊技台計数管理装置３５Ａが、遊技球貸出装置６５から送信された遊技情報を受信してパチンコ機５毎に集計し、タッチ液晶モジュール２７に表示させるので、遊技者に対して遊技情報を効率よく、かつ詳細に提供できる。
【００８４】
また、遊技球貸出装置６５がタッチ液晶モジュール２７に表示する情報としては、遊技者の誕生日や記念日のお祝い等のメッセージ、遊技者にとって有用な情報としてのニュースや料理レシピ、遊技者が遊技を行う上で有用な情報としての遊技場のイベント告知や新機種情報等、遊技の参考にされる情報としてのパチンコ機５の大当り数、スタート回数、確変回数、確率等の遊技情報、遊技場のトイレや自動販売機の場所等の一般的な案内情報等も挙げられる。
【００８５】
また、遊技システム１５では、会員・景品管理サーバー３５Ｄが、予め登録された顧客会員である遊技者毎の属性に係る情報を顧客会員マスタ情報３Ａに記憶し、ＣＲユニット６は、会員・景品管理サーバー３５Ｄから取得した遊技者の属性に係る情報に基づいて、当該遊技者向けの情報として、例えばニュースや誕生日に係る情報または料理のレシピ等をタッチ液晶モジュール２７に表示するので、その遊技者が興味を持つ可能性が高い情報や、その遊技者にとって有益性の高い情報を選択して表示できる。これにより、タッチ液晶モジュール２７によって、より興趣性が高く遊技者にとって興味深い表示を行える。
【００８６】
また、ＣＲユニット６は、遊技球の貸出の対価として使用可能な価値に対応付けられたプリペイド媒体１４を投入可能に構成され、投入されたプリペイド媒体１４に対応付けられた価値を対価としてパチンコ機５に遊技球の貸出を行い、各々の会員カード１４Ｂは固有の識別情報としての会員カード番号を有し、ＣＲユニット６は会員カード１４Ｂが投入された場合に、この会員カード１４Ｂの会員カード番号と会員・景品管理サーバー３５Ｄが顧客会員マスタ情報３Ａとして記憶する会員カード番号とに基づいて、パチンコ機５を使用する遊技者を特定する。これにより、会員カード１４Ｂを使用して遊技を開始する場合に自動的に遊技者の情報を取得し、表示に反映させることができる。
【００８７】
また、パチンコ機５は、遊技球の投入を条件に遊技を実行し、遊技結果に応じて賞遊技球を獲得可能に構成され、獲得された賞遊技球を装置外に物理的に排出することなく遊技を実行する封入式のパチンコ機５であり、タッチ液晶モジュール２７はパチンコ機５の前面に配置されているので、大型のタッチ液晶モジュール２７をパチンコ機５の正面に配置できる。そして、このタッチ液晶モジュール２７に各遊技者向けの情報を表示することで、遊技者が視認しやすい位置に、遊技者に適した情報を表示でき、興趣性とともに遊技者の利便性の向上を図ることができる。
【００８８】
なお、上述した実施形態においては、会員・景品管理サーバー３５Ｄが顧客会員マスタ情報３Ａ及びマイページ設定情報３Ｂを記憶し、ＣＲユニット６からの要求に応じて顧客会員マスタ情報３Ａ及びマイページ設定情報３Ｂの情報を送信する構成としたが、本発明はこれに限定されるものではなく、顧客会員マスタ情報３Ａまたはマイページ設定情報３Ｂのいずれか、または両方を遊技台計数管理装置３５Ａが記憶する構成としてもよく、その他のサーバー装置が記憶する構成としてもよい。この場合、ＣＲユニット６が、問い合わせ先として、顧客会員マスタ情報３Ａ及びマイページ設定情報３Ｂを記憶するサーバー装置のネットワークアドレス等を記憶していれば、必要に応じて問い合わせを行い、パチンコ機５を使用する遊技者を特定でき、上記実施形態と同様の効果が得られる。
また、上記実施形態では、プリペイド媒体１４として会員カード１４ＢがＣＲユニット６に投入された場合を例に挙げて説明したが、本発明はこれに限定されず、ＩＣコイン１４Ａのプリペイド残価値を対価として玉貸を行う場合にも本発明を勿論適用可能である。また、上述した実施形態及び各変形例では、遊技機の一例としてパチンコ機５を例示したが、これに限らず、遊技媒体の投入を条件に、所定の抽選契機成立時に当落抽選を行う遊技機であれば、任意の遊技機に本発明を適用できる。かかる遊技機には、例えば、遊技メダルを遊技媒体に使用し、遊技メダルの投入を条件に、操作レバーが操作された時に当落抽選を行うパチスロ機などが挙げられる。この場合には、本発明の遊技媒体貸出装置が遊技メダルをパチスロ機に貸し出す遊技メダル貸出装置に適用される。
【符号の説明】
【００８９】
１  遊技サービスシステム
３Ａ  顧客会員マスタ情報
３Ｂ  マイページ設定情報
５  パチンコ機（遊技機）
６  ＣＲユニット
１４  プリペイド媒体
１５  遊技システム
２７  タッチ液晶モジュール（表示装置、操作部）
３５Ａ  遊技台計数管理装置（遊技機管理装置）
３５Ｃ  持玉管理サーバー
３５Ｄ  会員・景品管理サーバー（遊技者情報管理装置）
４０  遊技機メイン基板
４１  払出制御基板
４３  発射制御基板
４８  遊技機管理発射可能玉数記憶部
６５  遊技球貸出装置（遊技媒体貸出装置）
７６Ａ  ＣＰＵ（遊技者特定手段、表示情報取得手段、表示制御手段）
８３  プリペイド残価値記憶部
８４  貸出装置管理持玉数記憶部
８５  再プレイ可能玉数記憶部
【図１】
2012029932.tif 000003
【図２】
2012029932.tif 000004
【図３】
2012029932.tif 000005
【図４】
2012029932.tif 000006
【図５】
2012029932.tif 000007